(57)【要約】      （修正有）【課題】ユーザの過去から算出した印刷可能枚数と、標準印刷可能枚数とをユーザの選択に応じて表示。【解決手段】プリンタのコントローラは、ヘッドが排出したインクの排出量に応じた消費値及び印刷を行った用紙の枚数をカウントし、カウントした消費値及び枚数に応じて平均使用値を決定し、カートリッジの充填量を示す充填値を取得し、取得した充填値、カウントした消費値、及び基準使用値に応じて、第１印刷可能枚数を決定する。また、コントローラは、充填値、消費値、及び平均使用値に応じて第２印刷可能枚数を決定する。コントローラは、第１印刷可能枚数を示す第１オブジェクト２５１（Ｍ，Ｃ，Ｙ，Ｂｋ）を含む第１のインク残量画面をディスプレイに表示させるか、第２印刷可能枚数を示す第２オブジェクト２５２（Ｍ，Ｃ，Ｙ，Ｂｋ）を含む第２のインク残量画面をディスプレイ２８に表示させるかを選択可能な第３オブジェクトをディスプレイに表示。【選択図】図１４
2019116082.tif 000002
【特許請求の範囲】
【請求項１】
記録部と、ディスプレイと、入力部と、メモリと、コントローラと、を備えており、
前記コントローラは、
着色剤が充填された容器と接続された前記記録部に、前記着色剤を消費させて用紙に画像を形成させ、
前記記録部が消費した着色剤の消費量に応じた消費値及び印刷を行った用紙の枚数をカウントし、
カウントした前記消費値及び前記枚数に応じて、平均使用値を決定し、
前記容器の充填量を示す充填値を取得し、取得した前記充填値、カウントした前記消費値、及び前記メモリに記憶された基準使用値に応じて、第１印刷可能枚数を決定し、
前記充填値、前記消費値、及び前記平均使用値に応じて、第２印刷可能枚数を決定し、
前記第１印刷可能枚数を示す第１オブジェクトを含む第１画面を前記ディスプレイに表示させ、
前記第２印刷可能枚数を示す第２オブジェクトを含む第２画面を前記ディスプレイに表示させ、
前記第１オブジェクトを前記ディスプレイに表示させるか、前記第２オブジェクトを前記ディスプレイに表示させるかを選択可能な第３オブジェクトを含む画面を前記ディスプレイに表示させる画像形成装置。
【請求項２】
前記コントローラは、
前記第１オブジェクト及び第４オブジェクトを含む前記第１画面を前記ディスプレイに表示させ、
前記第２オブジェクト及び第５オブジェクトを含む前記第２画面を前記ディスプレイに表示させ、
前記第４オブジェクトは、前記第１印刷可能枚数を表示していることを示すオブジェクトであり、
前記第５オブジェクトは、前記第２印刷可能枚数を表示していることを示すオブジェクトである請求項１に記載の画像形成装置。
【請求項３】
前記入力部は、前記ディスプレイに重畳されたタッチセンサであり、
前記コントローラは、前記タッチセンサからの入力に応じて、前記ディスプレイに表示されたオブジェクトがタップされた位置を検出し、
前記コントローラは、
前記第１オブジェクト及び第６オブジェクトを含む前記第１画面を前記ディスプレイに表示させ、
前記第２オブジェクト及び第７オブジェクトを含む前記第２画面を前記ディスプレイに表示させ、
前記第６オブジェクトがタップされたことに応じて、第８オブジェクトを含む第３画面を前記ディスプレイに表示させ、
前記第７オブジェクトがタップされたことに応じて、第９オブジェクトを含む第４画面を前記ディスプレイに表示させ、
前記第８オブジェクトは、前記第１印刷可能枚数の算出内容を示すオブジェクトであり、
前記第９オブジェクトは、前記第２印刷可能枚数の算出内容を示すオブジェクトである請求項１または２に記載の画像形成装置。
【請求項４】
前記コントローラは、
前記第３オブジェクトを前記第３画面に表示させ、
前記第３オブジェクトを前記第４画面に表示させ、
前記第３オブジェクトがタップされたことに応じて、第１０オブジェクトを含む第５画面を前記ディスプレイに表示させ、
前記第１０オブジェクトは、前記第１印刷可能枚数を表示させるか、前記第２印刷可能枚数を表示させるかを選択可能である旨を示すオブジェクトである請求項３に記載の画像形成装置。
【請求項５】
前記コントローラは、
第１１オブジェクト及び第１２オブジェクトを含む前記第５画面を前記ディスプレイに表示させ、
前記第１１オブジェクトがタップされたことに応じて、前記第３画面を前記ディスプレイに表示させ、
前記第１２オブジェクトがタップされたことに応じて、前記第４画面を前記ディスプレイに表示させ、
前記第１１オブジェクトは、前記第１印刷可能枚数を表示することを示すオブジェクトであり、
前記第１２オブジェクトは、前記第２印刷可能枚数を表示することを示すオブジェクトである請求項４に記載の画像形成装置。
【請求項６】
前記コントローラは、
第１３オブジェクトを前記第３画面に表示させ、
第１４オブジェクトを前記第４画面に表示させ、
前記第１３オブジェクトがタップされたことに応じて、前記第１画面を前記ディスプレイに表示させ、
前記第１４オブジェクトがタップされたことに応じて、前記第２画面を前記ディスプレイに表示させる請求項５に記載の画像形成装置。
【請求項７】
前記コントローラは、
第１５オブジェクトを含む前記第５画面を前記ディスプレイに表示させ、
前記第１５オブジェクトがタップされたことに応じて、第１６オブジェクトを含む第６画面を前記ディスプレイに表示させ、
前記第１５オブジェクトは、前記第６画面への画面の切り替えを示すオブジェクトであり、
前記第１６オブジェクトは、前記第１印刷可能枚数及び前記第２印刷可能枚数の内容を示すオブジェクトである請求項４から６のいずれかに記載の画像形成装置。
【請求項８】
前記コントローラは、
前記入力部によってリセット指示を受け付けたことに応じて、前記平均使用値をリセットする請求項１から７のいずれかに記載の画像形成装置。
【請求項９】
前記容器は、
着色剤が貯留される第１室を有するカートリッジと、
前記カートリッジと第１流路によって接続され、前記記録部と第２流路によって接続されており、着色剤を貯留可能な第２室を有するタンクと、を含む請求項１から８のいずれかに記載の画像形成装置。
【請求項１０】
複数の前記容器を備える請求項９に記載の画像形成装置。
【請求項１１】
前記コントローラは、
前記第１オブジェクト、第１７オブジェクト、及び第１８オブジェクトを含む前記第１画面を前記ディスプレイに表示させ、
前記第２オブジェクト、前記第１７オブジェクト、及び前記第１８オブジェクトを含む前記第２画面を前記ディスプレイに表示させ、
前記第１７オブジェクトは、前記カートリッジの前記第１室に貯留された着色剤の量である第１残量を示すオブジェクトであり、
前記第１８オブジェクトは、前記タンクの前記第２室に貯留された着色剤の量である第２残量を示すオブジェクトである請求項９または１０に記載の画像形成装置。
【請求項１２】
前記容器は、
着色剤が貯留される第１室を有するカートリッジと、
前記カートリッジと第１流路によって接続され、前記記録部と第２流路によって接続されており、着色剤を貯留可能な第２室を有するタンクと、を含み
前記コントローラは、
前記カートリッジの前記第１室に貯留された着色剤の量を示す第１残量値、及び前記タンクの前記第２室に貯留された着色剤の量を示す第２残量値を前記メモリから読み出し、読み出した前記第１残量値と前記第２残量値との和から前記消費値を減算して総残量値を算出し、
算出した前記総残量値に応じて、新たな前記第１残量値及び前記第２残量値を決定し、
決定した新たな前記第１残量値及び前記第２残量値を前記メモリに記憶させ、
決定した前記第１残量値に応じた形状の前記第１７オブジェクトを決定し、前記第２残量値に応じた形状の前記第１８オブジェクトを決定する請求項１１に記載の画像形成装置。
【請求項１３】
前記容器は、
着色剤が貯留される第１室を有するカートリッジと、
前記カートリッジと第１流路によって接続され、前記記録部と第２流路によって接続されており、着色剤を貯留可能な第２室を有するタンクと、を含み、
前記基準使用値は、単位量当たりの印刷可能な枚数を示す値であり、
前記コントローラは、
前記カートリッジの前記第１室に貯留された着色剤の量を示す第１残量値、及び前記タンクの前記第２室に貯留された着色剤の量を示す第２残量値を前記メモリから読み出し、読み出した前記第１残量値と前記第２残量値との和から前記消費値を減算して総残量値を算出し、
算出した前記総残量値に応じて、新たな前記第１残量値及び前記第２残量値を決定し、
決定した新たな前記第１残量値及び前記第２残量値を前記メモリに記憶させ、
前記総残量値に前記基準使用値を乗じて前記第１印刷可能枚数を決定する請求項１から１２のいずれかに記載の画像形成装置。
【請求項１４】
前記コントローラは、
前記カートリッジの前記第１室に貯留された着色剤の量を示す第１残量値、及び前記タンクの前記第２室に貯留された着色剤の量を示す第２残量値を前記メモリから読み出し、読み出した前記第１残量値と前記第２残量値との和から前記消費値を減算して総残量値を算出し、
算出した総残量値に応じて、新たな前記第１残量値及び前記第２残量値を決定し、
決定した新たな前記第１残量値及び前記第２残量値を前記メモリに記憶させ、
印刷を行った用紙の枚数をカウントし、
カウントした用紙の枚数を前記消費値で除し、単位量当たりの印刷枚数を示す前記平均使用値を決定し、
前記総残量値に前記平均使用値を乗じて前記第２印刷可能枚数を決定する請求項１から１３のいずれかに記載の画像形成装置。
【請求項１５】
記録部と、ディスプレイと、入力部と、メモリと、コンピュータと、を備える画像形成装置の前記コンピュータによって実行されるプログラムであって、
着色剤が充填された容器と接続された前記記録部に、前記着色剤を消費させて用紙に画像を形成させ、
前記記録部が消費した着色剤の消費量に応じた消費値をカウントし、
カウントした前記消費値に応じて、平均使用値を決定し、
前記容器の充填量を示す充填値を取得し、取得した前記充填値、カウントした前記消費値、及び前記メモリに記憶された基準使用値に応じて、第１印刷可能枚数を決定し、
前記充填値、前記消費値、及び前記平均使用値に応じて、第２印刷可能枚数を決定し、
前記第１印刷可能枚数を示す第１オブジェクトを含む第１画面を前記ディスプレイに表示させ、
前記第２印刷可能枚数を示す第２オブジェクトを含む第２画面を前記ディスプレイに表示させ、
前記第１オブジェクトを前記ディスプレイに表示させるか、前記第２オブジェクトを前記ディスプレイに表示させるかを選択可能な第３オブジェクトを含む画面を前記ディスプレイに表示させるプログラム。
【発明の詳細な説明】
【技術分野】
【０００１】
本発明は、ディスプレイに印刷可能枚数を表示する画像形成装置に関する。
【背景技術】
【０００２】
出力可能枚数を表示部に表示する画像形成装置が知られている（特許文献１参照）。この画像形成装置は、用紙の印刷可能領域の面積に対する画像の面積の割合である面積率を算出する。また、画像形成装置は、画像を形成するごとに面積率を算出し、面積率の平均値（平均画像面積率）を算出する。画像形成装置は、トナーの残量を用いて、平均画像面積率で用紙に画像を形成した場合に、何枚の用紙に画像を形成できるかを算出し、算出した枚数を出力可能枚数として表示部に表示させる。
【先行技術文献】
【特許文献】
【０００３】
【特許文献１】特開２００８−７６５５０号公報
【発明の概要】
【発明が解決しようとする課題】
【０００４】
上記画像形成装置では、使用の態様がある程度近似している場合は有用である。すなわち、主にドキュメント印刷が行われる場合や、主に写真印刷が行われる場合は、出力可能枚数は、実際に出力可能な枚数に近い枚数を表示する。しかしながら、複数のユーザが使用する場合などにおいては、問題が生じ得る。例えば、主にドキュメント印刷を行っていた画像形成装置において写真印刷を行った場合、出力可能枚数未満の枚数でトナーやインクなどの着色剤が無くなってしまい、写真印刷を継続できなくなってしまうという問題が生じ得る。また、主に写真印刷を行っていた画像形成装置においてドキュメント印刷を行った場合、印刷枚数の増加に対して出力可能枚数の減少が緩やかになり、ユーザに違和感を生じさせる。
【０００５】
ところで、国際標準化機構（ＩＳＯ）は、印刷可能な用紙の枚数の基準を規定する。具体的には、ＩＳＯは、所定の画像形成装置に所定のカートリッジを装着し、所定のパターンの画像を所定の用紙に形成した場合に画像形成が可能な用紙の枚数（以下、標準印刷可能枚数）を規定する。標準印刷可能枚数は、統一された規格であり、一定の基準をユーザに示す。しかしながら、標準印刷可能枚数は、写真印刷を主に行う場合などにおいて、実際に印刷できる用紙の枚数と大きく相違するという問題がある。
【０００６】
上述のように、ユーザの過去の使用態様から算出した印刷可能枚数を表示させる場合と、標準印刷可能枚数を表示させる場合とでは、それぞれ利点と問題点とがある。
【０００７】
本発明は、前記の事情に鑑みてなされたものであり、その目的は、ユーザの過去の使用態様から算出した印刷可能枚数と、標準印刷可能枚数とをユーザの選択に応じて認識させ得る手段を提供することにある。
【課題を解決するための手段】
【０００８】
本明細書では、様々な開示を行う。開示例の１つである画像形成装置は、記録部と、ディスプレイと、入力部と、メモリと、コントローラと、を備える。前記コントローラは、
着色剤が充填された容器と接続された前記記録部に、前記着色剤を消費させて用紙に画像を形成させ、前記記録部が消費した着色剤の消費量に応じた消費値及び印刷を行った用紙の枚数をカウントし、カウントした前記消費値及び前記枚数に応じて、平均使用値を決定し、前記容器の充填量を示す充填値を取得し、取得した前記充填値、カウントした前記消費値、及び前記メモリに記憶された基準使用値に応じて、第１印刷可能枚数を決定し、前記充填値、前記消費値、及び前記平均使用値に応じて、第２印刷可能枚数を決定し、前記第１印刷可能枚数を示す第１オブジェクトを含む第１画面を前記ディスプレイに表示させ、前記第２印刷可能枚数を示す第２オブジェクトを含む第２画面を前記ディスプレイに表示させ、前記第１オブジェクトを前記ディスプレイに表示させるか、前記第２オブジェクトを前記ディスプレイに表示させるかを選択可能な第３オブジェクトを含む画面を前記ディスプレイに表示させる。
【０００９】
コントローラは、充填値と消費値と基準使用値とから第１印刷可能枚数を決定し、ディスプレイに表示させる。また、コントローラは、充填値と消費値と平均使用値とから、第２印刷可能枚数を決定し、ディスプレイに表示させる。コントローラは、第１印刷可能枚数をディスプレイに表示させるか、第２印刷可能枚数をディスプレイに表示させるかを選択可能なオブジェクトを含む画面をディスプレイに表示させる。すなわち、第１印刷可能枚数をディスプレイに表示させるか、第２印刷可能枚数をディスプレイに表示させるかをユーザに選択させることができる。
【００１０】
開示例の他の１つであるプログラムは、記録部と、ディスプレイと、入力部と、メモリと、コンピュータと、を備える画像形成装置の前記コンピュータによって実行される。前記プログラムは、着色剤が充填された容器と接続された前記記録部に、前記着色剤を消費させて用紙に画像を形成させ、前記記録部が消費した着色剤の消費量に応じた消費値をカウントし、カウントした前記消費値に応じて、平均使用値を決定し、前記容器の充填量を示す充填値を取得し、取得した前記充填値、カウントした前記消費値、及び前記メモリに記憶された基準使用値に応じて、第１印刷可能枚数を決定し、前記充填値、前記消費値、及び前記平均使用値に応じて、第２印刷可能枚数を決定し、前記第１印刷可能枚数を示す第１オブジェクトを含む第１画面を前記ディスプレイに表示させ、前記第２印刷可能枚数を示す第２オブジェクトを含む第２画面を前記ディスプレイに表示させ、前記第１オブジェクトを前記ディスプレイに表示させるか、前記第２オブジェクトを前記ディスプレイに表示させるかを選択可能な第３オブジェクトを含む画面を前記ディスプレイに表示させる。
【図面の簡単な説明】
【００１１】
【図１】図１は、プリンタ１０の外観斜視図であって、（Ａ）はカバー８７が被覆位置である状態、（Ｂ）はカバー８７が露出位置である状態を示す。
【図２】図２は、プリンタ１０の内部構造を模式的に示す模式断面図である。
【図３】図３は、装着ケース１５０の縦断面図である。
【図４】図４は、カートリッジ２００の構造を示す図であって、（Ａ）は前方斜視図を、（Ｂ）は縦断面図を示す。
【図５】図５は、装着ケース１５０にカートリッジ２００が装着された状態の縦断面図である。
【図６】図６は、プリンタ１０の機能ブロック図である。
【図７】図７は、画像形成処理のフローチャートである。
【図８】図８（Ａ）は、第１更新処理のフローチャートであり、図８（Ｂ）は、第２更新処理のフローチャートであり、図８（Ｃ）は、第３更新処理のフローチャートであり、図８（Ｄ）は、第４更新処理のフローチャートである。
【図９】図９は、平均使用値決定処理のフローチャートである。
【図１０】図１０は、オブジェクト決定処理のフローチャートである
【図１１】図１１（Ａ）は、印刷可能枚数決定処理（ＩＳＯ換算）を示すフローチャートであり、図１１（Ｂ）は、印刷可能枚数決定処理（消費量換算）を示すフローチャートである。
【図１２】図１２は、インク残量画面表示処理を示すフローチャートである。
【図１３】図１３は、待機画面を示す図である。
【図１４】図１４（Ａ）は、第１のインク残量画面を示す図であり、図１４（Ｂ）は、第２のインク残量画面を示す図である。
【図１５】図１５（Ａ）は、第１の説明画面を示す図であり、図１５（Ｂ）は、第２の説明画面を示す図である。
【図１６】図１６（Ａ）は、設定変更画面を示す図であり、図１６（Ｂ）は、詳細説明画面を示す図である。
【発明を実施するための形態】
【００１２】
以下、本発明の実施形態について説明する。なお、以下に説明される実施形態は本発明の一例にすぎず、本発明の要旨を変更しない範囲で、本発明の実施形態を適宜変更できることは言うまでもない。また、後述する各処理の実行順序は、本発明の要旨を変更しない範囲で、適宜変更することができる。
【００１３】
プリンタ１０が使用可能に水平面に設置された使用姿勢を基準として上下方向７が定義され、プリンタ１０の開口１３が形成された面を前面として前後方向８が定義され、プリンタ１０を前面から見て左右方向９が定義される。本実施形態では、使用姿勢において、上下方向７が鉛直方向に相当し、前後方向８及び左右方向９が水平方向に相当する。前後方向８及び左右方向９は、直交している。
【００１４】
［プリンタ１０の概要］
プリンタ１０は、インクジェット記録技術を利用して用紙に画像を記録する。プリンタ１０は、概ね直方体形状の筐体１４を有している。また、プリンタ１０は、ファクシミリ機能、スキャン機能、及びコピー機能などの機能を有する、所謂、「複合機」であってもよい。プリンタ１０は、画像形成装置の一例である。
【００１５】
筐体１４の前面には、ディスプレイ２８が設けられている。ディスプレイ２８については後述される。
【００１６】
筐体１４の内部には、図１及び図２に示されるように、給送トレイ１５と、給送ローラ２３と、搬送ローラ２５と、複数のノズル２９を有するヘッド２１と、ヘッド２１に対面するプラテン２６と、排出ローラ２７と、排出トレイ１６と、カートリッジ２００が着脱される装着ケース１５０と、ヘッド２１及び装着ケース１５０に装着されたカートリッジ２００を連通させるチューブ３２とが位置している。ヘッド２１は、記録部の一例である。
【００１７】
プリンタ１０は、給送ローラ２３及び搬送ローラ２５を駆動させて、給送トレイ１５に支持された用紙をプラテン２６の位置まで搬送する。次に、プリンタ１０は、装着ケース１５０に装着されたカートリッジ２００からチューブ３２を通じて供給されるインクを、ヘッド２１にノズル２９を通じて吐出させる。これにより、プラテン２６に支持された用紙にインクが着弾して、用紙上に画像が記録される。そして、プリンタ１０は、排出ローラ２７を駆動させて、画像が記録された用紙を排出トレイ１６に排出する。
【００１８】
より詳細には、ヘッド２１は、搬送ローラ２５による用紙の搬送向きと交差する主走査方向に往復移動するキャリッジ２０に搭載されている。キャリッジ２０は、不図示のモータの駆動力が伝達されて、主走査方向（図２の紙面と垂直な方向）に移動する。プリンタ１０は、搬送ローラ２５による用紙の搬送が停止されている間に、主走査方向へキャリッジ２０を移動させつつ、ヘッド２１にノズル２９を通じてインクを吐出させる。これにより、ヘッド２１に対面する用紙の一部の領域（以下、「１パス」と表記する。）に画像が記録される。次に、プリンタ１０は、次に画像が記録されるべき領域がヘッド２１に対面するように、搬送ローラ２５に用紙を搬送させる。そして、これらの処理を交互に繰り返し実行させることによって、１枚の用紙に画像が記録される。
【００１９】
［カバー８７］
図１に示されるように、筐体１４の前面１４Ａで且つ左右方向９の右端部には、開口８５が形成されている。筐体１４は、さらにカバー８７を備える。カバー８７は、開口８５を閉塞させる被覆位置（図１（Ａ）に示される位置）と、開口８５を開放する露出位置（図１（Ｂ）に示される位置）との間を回動可能である。カバー８７は、例えば、上下方向７における筐体１４の下端近傍において、左右方向９に沿う回動軸線周りに回動可能に、筐体１４によって支持されている。そして、開口８５の奥に広がる筐体１４内部の収容空間８６には、装着ケース１５０が位置している。
【００２０】
［装着ケース１５０］
装着ケース１５０は、図３に示されるように、接点１５２と、ロッド１５３と、装着センサ１５４と、液面センサ１５５と、ロックピン１５６とを備えている。装着ケース１５０には、ブラック、シアン、マゼンタ、イエローの各色に対応する４つのカートリッジ２００が収容可能である。すなわち、装着ケース１５０は、接点１５２、ロッド１５３、装着センサ１５４、液面センサ１５５は、４つのカートリッジ２００それぞれに対応して、４つずつ備えている。なお、装着ケース１５０に収容可能なカートリッジ２００の数は、４つに限定されず、１つでも良いし、５つ以上でも良い。
【００２１】
装着ケース１５０は、装着されたカートリッジ２００を収容する内部空間を有する箱形状である。装着ケース１５０の内部空間は、上端を画定する天壁と、下端を画定する底壁と、前後方向８の後端を画定する奥壁と、左右方向９の両端を画定する一対の側壁とで画定される。一方、装着ケース１５０の奥壁と対面する位置は、開口８５となっている。すなわち、開口８５は、カバー８７を露出位置に配置したときに、装着ケース１５０の内部空間を、プリンタ１０の外部に露出させる。
【００２２】
そして、カートリッジ２００は、筐体１４の開口８５を通じて、装着ケース１５０に挿入され、装着ケース１５０から抜かれる。より詳細には、カートリッジ２００は、開口８５を前後方向８の後ろ向きに通過して、装着ケース１５０に装着される。装着ケース１５０から抜かれるカートリッジ２００は、開口８５を前後方向８の前向きに通過する。
【００２３】
［接点１５２］
接点１５２は、装着ケース１５０の天壁に位置している。接点１５２は、天壁から装着ケース１５０の内部空間へ向けて下方に突出している。接点１５２は、装着ケース１５０にカートリッジ２００が装着された状態において、カートリッジ２００の後述する電極２４８（図４）に接する位置に位置している。接点１５２は、導電性を有しており、さらに上下方向７に沿って弾性的に変形可能である。接点１５２は、コントローラ１３０に電気的に接続されている。
【００２４】
［ロッド１５３］
ロッド１５３（図３）は、装着ケース１５０の奥壁から前方へ突出している。ロッド１５３は、装着ケース１５０の奥壁において、後述するジョイント１８０より上方に位置している。ロッド１５３は、カートリッジ２００が装着ケース１５０に装着される過程において、カートリッジ２００の後述する大気連通口２２１（図４）を通じて大気バルブ室２１４に進入する。ロッド１５３が大気バルブ室２１４に進入すると、後述する大気バルブ室２１４（図４）を大気に連通される。
【００２５】
［装着センサ１５４］
装着センサ１５４（図３）は、装着ケース１５０の天壁に位置している。装着センサ１５４は、カートリッジ２００が装着ケース１５０に装着されているか否かを検出するためのセンサである。装着センサ１５４は、左右方向９に離間した発光部及び受光部を備える。装着ケース１５０にカートリッジ２００が装着された状態において、カートリッジ２００の後述する遮光リブ２４５（図４）は、装着センサ１５４の発光部及び受光部の間に位置する。換言すれば、装着センサ１５４の発光部及び受光部は、装着ケース１５０に装着されたカートリッジ２００の遮光リブ２４５を挟んで、互いに対向した状態で位置している。
【００２６】
装着センサ１５４は、発光部から左右方向９に沿って照射された光が受光部で受光されたか否かに応じて、異なる信号（図中では、「装着信号」と表記する。）を出力する。装着センサ１５４は、例えば、受光部で受光された光の受光強度が閾値強度未満であることに応じて、ローレベル信号をコントローラ１３０へ出力する。一方、装着センサ１５４は、受光部で受光された光の受光強度が閾値強度以上であることに応じて、ローレベル信号より信号強度の高いハイレベル信号をコントローラ１３０へ出力する。
【００２７】
［液面センサ１５５］
液面センサ１５５は、後述するアクチュエータ１９０の被検出部１９４が検出位置に位置しているか否かを検出するためのセンサである。液面センサ１５５は、左右方向９に離間した発光部及び受光部を備える。換言すれば、液面センサ１５５の発光部及び受光部は、検出位置に位置した被検出部１９４を挟んで、互いに対向した状態で位置している。液面センサ１５５は、発光部から出力された光が受光部で受光されたか否かに応じて異なる信号（図中では、「液面信号」と表記する。）を出力する。
【００２８】
[ロックピン１５６]
ロックピン１５６は、装着ケース１５０の内部空間の上端で且つ開口８５付近において、左右方向９に沿って延びる棒状の部材である。ロックピン１５６の左右方向９の両端は、装着ケース１５０の一対の側壁に固定されている。ロックピン１５６は、４つのカートリッジ２００が収納可能な４つの空間に亘って左右方向９に延びている。ロックピン１５６は、装着ケース１５０に装着されたカートリッジ２００を、図５に示される装着位置に保持するためのものである。カートリッジ２００は、装着ケース１５０に装着された状態で、ロックピン１５６に係合される。
【００２９】
［タンク１６０］
プリンタ１０は、４つのカートリッジ２００それぞれに対応して、４つのタンク１６０を備える。詳細には、マゼンタのインクが貯留されるカートリッジ２００に対応して、マゼンタのインクが貯留されるタンク１６０と、シアンのインクが貯留されるカートリッジ２００に対応して、シアンのインクが貯留されるタンク１６０と、イエローのインクが貯留されるカートリッジ２００に対応して、イエローのインクが貯留されるタンク１６０と、ブラックのインクが貯留されるカートリッジ２００に対応して、ブラックのインクが貯留されるタンク１６０と、を備える。タンク１６０は、容器及びタンクの一例である。
【００３０】
タンク１６０は、装着ケース１５０の奥壁よりさらに後方に位置している。タンク１６０は、図３に示されるように、上壁１６１と、前壁１６２と、下壁１６３と、後壁１６４と、不図示の一対の側壁とで構成されている。なお、前壁１６２は、各々が前後方向８にずれた複数の壁によって構成される。タンク１６０の内部は、液室１７１が形成されている。液室１７１は、第２室の一例である。
【００３１】
タンク１６０を構成する壁のうち、少なくとも液面センサ１５５に対面する壁は、透光性を有している。これにより、液面センサ１５５が出力した光は、液面センサ１５５に対面する壁を透過することができる。後壁１６４の少なくとも一部は、上壁１６１、下壁１６３、及び側壁の端面に溶着されるフィルムでもよい。また、タンク１６０の側壁は、装着ケース１５０と共通でもよいし、装着ケース１５０とは独立していてもよい。さらに、左右方向９に隣接するタンク１６０の間は、不図示の隔壁によって仕切られている。４つのタンク１６０の構成は、概ね共通する。
【００３２】
液室１７１は、流出口１７４を通じて不図示のインク流路（第２流路の一例）に連通されている。流出口１７４の下端は、液室１７１の下端を画定する下壁１６３によって画定されている。流出口１７４は、ジョイント１８０（より詳細には、貫通孔１８４の下端）より上下方向７の下方に位置している。流出口１７４に連通された不図示のインク流路は、チューブ３２に連通されている。これにより、液室１７１は、流出口１７４からインク流路及びチューブ３２を通じて、ヘッド２１と連通する。つまり、液室１７１に貯留されたインクは、流出口１７４からインク流路及びチューブ３２を通じて、ヘッド２１へ供給される。流出口１７４に連通されたインク流路及びチューブ３２は、一端（流出口１７４）が液室１７１に連通され、且つ他端３３（図２参照）がヘッド２１に連通されている。
【００３３】
液室１７１は、大気連通室１７５を通じて大気に連通されている。より詳細には、大気連通室１７５は、前壁１６２を貫通する貫通孔１７６を通じて液室１７１に連通されている。また、大気連通室１７５は、大気連通ポート１７７及び大気連通ポート１７７に接続された不図示のチューブを通じて、プリンタ１０の外部に連通されている。すなわち、大気連通室１７５は、一端（貫通孔１７６）が液室１７１に連通され、且つ他端（大気連通ポート１７７）がプリンタ１０の外部に連通されている。なお、大気連通室１７５は、大気連通ポート１７７及び不図示のチューブを通じて、大気に連通している。
【００３４】
［ジョイント１８０］
ジョイント１８０は、図３に示されるように、ニードル１８１と、ガイド１８２とを備えている。ニードル１８１は、内部に流路が形成された管である。ニードル１８１は、液室１７１を画定する前壁１６２から前方へ突出している。ニードル１８１の突出先端には、開口１８３が形成されている。また、ニードル１８１の内部空間は、前壁１６２を貫通する貫通孔１８４を通じて液室１７１に連通されている。ニードル１８１は、一端（開口１８３）がタンク１６０の外部に連通され、且つ他端（貫通孔１８４）が液室１７１に連通されている。ガイド１８２は、ニードル１８１の周囲に配置された円筒形状の部材である。ガイド１８２は、前壁１６２から前方に突出して、突出端が開口している。
【００３５】
ニードル１８１の内部空間には、バルブ１８５と、コイルバネ１８６とが位置している。バルブ１８５は、ニードル１８１の内部空間において、閉塞位置と開放位置との間を、前後方向８に沿って移動可能である。バルブ１８５は、閉塞位置に位置すると開口１８３を閉塞する。またバルブ１８５は、開放位置に位置すると開口１８３を開放する。コイルバネ１８６は、バルブ１８５を開放位置から閉塞位置に移動させる向き、すなわち前後方向８の前向きに付勢している。
【００３６】
［アクチュエータ１９０］
液室１７１には、アクチュエータ１９０が位置している。アクチュエータ１９０は、液室１７１内に配置された不図示の支持部材によって、矢印１９８、１９９の向きに回動可能に支持されている。アクチュエータ１９０は、図３の実線で示される位置及び破線で示される位置の間を回動することができる。さらに、アクチュエータ１９０は、不図示のストッパ（例えば、液室１７１の内壁）によって、実線の位置より矢印１９８の向きへの回動が規制される。アクチュエータ１９０は、フロート１９１と、軸１９２と、アーム１９３と、被検出部１９４とを備える。
【００３７】
フロート１９１は、液室１７１に貯留されるインクより比重が小さい材料で形成されている。軸１９２は、フロート１９１の右面及び左面から左右方向９に突出している。軸１９２は、支持部材に形成された不図示の孔に挿入されている。これにより、アクチュエータ１９０は、軸１９２を中心として回動可能に支持部材によって支持される。アーム１９３は、フロート１９１から略上方へ延びている。被検出部１９４は、アーム１９３の突出先端部に位置している。被検出部１９４は、上下方向７及び前後方向８に延びる板状の部材である。被検出部１９４は、液面センサ１５５の発光部から出力された光を遮光する材料又は色で形成されている。
【００３８】
液室１７１内のインクの液面が基準位置Ｐ以上のとき、浮力によって矢印１９８の向きに回動されたアクチュエータ１９０は、ストッパによって図３の実線で示される検出位置に保持される。一方、インクの液面が基準位置Ｐ未満のとき、アクチュエータ１９０は、液面の降下に追従して矢印１９９の向きに回動される。これにより、被検出部１９４は、検出位置から外れた位置に移動する。すなわち、被検出部１９４は、液室１７１に貯留されたインクの量に対応する位置に移動する。
【００３９】
基準位置Ｐは、上下方向７において、ニードル１８１の軸中心と同じ高さであり、且つ後述するインク供給口２３４の中心と同じ高さである。しかしながら、基準位置Ｐは、上下方向７における流出口１７４より上方の位置であれば、前述の位置に限定されない。他の例として、基準位置Ｐは、ニードル１８１の内部空間の上端や下端の高さでもよいし、インク供給口２３４の上端や下端の高さでもよい。
【００４０】
液室１７１に貯留されたインクの液面が基準位置Ｐ以上のとき、液面センサ１５５の発光部から出力された光が被検出部１９４で遮られる。これにより、液面センサ１５５は、発光部からの光が受光部に到達しないので、ローレベル信号「Ｌ」をコントローラ１３０へ出力する。一方、液室１７１に貯留されたインクの液面が基準位置Ｐ未満のとき、液面センサ１５５は、発光部から出力された光が受光部に到達するので、ハイレベル信号「Ｈ」をコントローラ１３０へ出力する。すなわち、コントローラ１３０は、液室１７１内のインクの液面が基準位置Ｐ以上か否かを、液面センサ１５５から出力される信号によって検出することができる。
【００４１】
［カートリッジ２００］
カートリッジ２００は、着色剤の一例であるインクを内部に貯留可能な液室２１０（図２参照）を有する容器である。液室２１０は、第１室の一例である。カートリッジ２００は、容器の一例である。
【００４２】
液室２１０は、例えば、樹脂製の壁によって画定されている。カートリッジ２００は、図４（Ａ）に示されるように、上下方向７及び前後方向８それぞれに沿った寸法が、左右方向９に沿った寸法よりも大きい扁平形状である。なお、異なる色のインクが貯留されるカートリッジ２００の外形形状は、同一でもよいし、異なっていてもよい。カートリッジ２００を構成する壁のうちの少なくとも一部は、透光性を有している。これにより、ユーザは、カートリッジ２００の液室２１０に貯留されたインクの液面をカートリッジ２００の外部から視認することができる。
【００４３】
カートリッジ２００は、筐体２０１と、供給管２３０とを備える。筐体２０１は、後壁２０２と、前壁２０３と、上壁２０４と、下壁２０５と、一対の側壁２０６、２０７とで構成されている。なお、後壁２０２は、各々が前後方向８にずれた複数の壁によって構成されている。また、上壁２０４は、各々が上下方向７にずれた複数の壁によって構成されている。さらに、下壁２０５は、各々が上下方向７にずれた複数の壁によって構成されている。
【００４４】
カートリッジ２００の内部空間には、図４（Ｂ）に示されるように、液室２１０、インクバルブ室２１３、及び大気バルブ室２１４が形成されている。液室２１０は、上部液室２１１と、下部液室２１２とを有する。上部液室２１１、下部液室２１２、及び大気バルブ室２１４は、筐体２０１の内部空間である。一方、インクバルブ室２１３は、供給管２３０の内部空間である。液室２１０は、インクを貯留する。大気バルブ室２１４は、液室２１０とカートリッジ２００の外部とを連通させる。
【００４５】
液室２１０の上部液室２１１及び下部液室２１２は、筐体２０１の内部空間を仕切る隔壁２１５によって、上下方向７に隔てられている。そして、上部液室２１１及び下部液室２１２は、隔壁２１５に形成された貫通孔２１６によって連通されている。また、上部液室２１１及び大気バルブ室２１４は、筐体２０１の内部空間を仕切る隔壁２１７によって、上下方向７に隔てられている。そして、上部液室２１１及び大気バルブ室２１４は、隔壁２１７に形成された貫通孔２１８によって連通されている。さらに、インクバルブ室２１３は、貫通孔２１９を通じて下部液室２１２の下端に連通されている。
【００４６】
大気バルブ室２１４は、カートリッジ２００の上部において、後壁２０２に形成された大気連通口２２１を通じてカートリッジ２００の外部に連通されている。すなわち、大気バルブ室２１４は、一端（貫通孔２１８）が液室２１０（より詳細には、上部液室２１１）に連通され、且つ他端（大気連通口２２１）がカートリッジ２００の外部に連通されている。なお、大気バルブ室２１４は、大気連通口２２１を通じて、大気に連通している。また、大気バルブ室２１４には、バルブ２２２と、コイルバネ２２３とが位置している。バルブ２２２は、閉塞位置と開放位置との間を、前後方向８に沿って移動可能である。バルブ２２２は、閉塞位置に位置すると、大気連通口２２１を閉塞する。また、バルブ２２２は、開放位置に位置すると大気連通口２２１を開放する。コイルバネ２２３は、バルブ２２２を開放位置から閉塞位置に移動させる向き、すなわち前後方向８の後ろ向きに付勢している。
【００４７】
カートリッジ２００が装着ケース１５０に装着される過程において、ロッド１５３が大気連通口２２１を通じて大気バルブ室２１４内に進入する。大気バルブ室２１４内に進入したロッド１５３は、閉塞位置のバルブ２２２をコイルバネ２２３の付勢力に抗して前向きに移動させる。そして、バルブ２２２が開放位置に移動することによって、上部液室２１１が大気に連通される。なお、大気連通口２２１を開放するための構成は、前述の例に限定されない。他の例として、大気連通口２２１を封止するフィルムをロッド１５３が突き破る構成でもよい。供給管２３０の内部空間は、第１流路の一例である。
【００４８】
供給管２３０は、筐体２０１の下部において、後壁２０２から後方に突出している。供給管２３０は、その突出端（すなわち、後端）が開口されている。すなわち、インクバルブ室２１３は、貫通孔２１９を通じて連通された液室２１０と、カートリッジ２００の外部とを連通させる。インクバルブ室２１３は、一端（貫通孔２１９）が液室２１０（より詳細には下部液室２１２）と連通され、且つ他端（後述するインク供給口２３４）がカートリッジ２００の外部と連通されている。また、インクバルブ室２１３には、パッキン２３１と、バルブ２３２と、コイルバネ２３３とが位置している。
【００４９】
パッキン２３１の中央には、前後方向８に貫通したインク供給口２３４が形成されている。インク供給口２３４の内径は、ニードル１８１の外径より僅かに小さい。バルブ２３２は、閉塞位置と開放位置との間を、前後方向８に沿って移動可能である。バルブ２３２は、閉塞位置に位置すると、パッキン２３１と当接してインク供給口２３４を閉塞する。また、バルブ２３２は、開放位置に位置すると、パッキン２３１から離間してインク供給口２３４を開放する。コイルバネ２３３は、バルブ２３２を開放位置から閉塞位置に移動させる向き、すなわち前後方向８の後ろ向きに付勢している。また、コイルバネ２３３の付勢力は、コイルバネ１８６より大きい。
【００５０】
カートリッジ２００が装着ケース１５０に装着される過程において、供給管２３０がガイド１８２内に進入し、やがてニードル１８１がインク供給口２３４を通じてインクバルブ室２１３に進入する。このとき、ニードル１８１は、パッキン２３１を弾性変形させつつ、インク供給口２３４を画定する内周面に液密に接触する。カートリッジ２００が装着ケース１５０へさらに挿入されると、ニードル１８１は、バルブ２３２をコイルバネ２３３の付勢力に抗して前向きに移動させる。また、バルブ２３２は、ニードル１８１の開口１８３から突出するバルブ１８５を、コイルバネ１８６の付勢力に抗して後ろ向きに移動させる。
【００５１】
これにより、図５に示されるように、インク供給口２３４及び開口１８３が開放されて、供給管２３０のインクバルブ室２１３と、ニードル１８１の内部空間とが連通される。すなわち、装着ケース１５０にカートリッジ２００が装着された状態において、インクバルブ室２１３及びニードル１８１の内部空間は、カートリッジ２００の液室２１０とタンク１６０の液室１７１とを連通させる流路を構成する。
【００５２】
また、装着ケース１５０にカートリッジ２００が装着された状態において、液室２１０の一部と、液室１７１の一部とは、水平方向から見て互いに重なる。その結果、液室２１０に貯留されたインクは、接続された供給管２３０及びジョイント１８０を通じて、水頭差によってタンク１６０の液室１７１に移動する。
【００５３】
上壁２０４には、突起２４１が形成されている。突起２４１は、上壁２０４の外面から上方に突出し且つ前後方向８に沿って延びている。突起２４１は、ロック面２４２と、傾斜面２４３とを有する。ロック面２４２及び傾斜面２４３は、上壁２０４より上方に位置している。ロック面２４２は、前後方向８の前方を向き且つ上下方向７及び左右方向９に延びている（すなわち、上壁２０４と概ね直交する）。傾斜面２４３は、上下方向７の上方及び前後方向８の後方を向くように、上壁２０４に対して傾斜している。
【００５４】
ロック面２４２は、装着ケース１５０にカートリッジ２００が装着された状態において、ロックピン１５６に当接される面である。傾斜面２４３は、カートリッジ２００が装着ケース１５０に装着される過程において、ロックピン１５６をロック面２４２と当接する位置まで案内する面である。ロック面２４２とロックピン１５６とが当接した状態では、コイルバネ１８６、２２３、２３３の付勢力に抗して、カートリッジ２００が図５に示される装着位置に保持される。
【００５５】
ロック面２４２より前方において上壁２０４から上方へと延びるようにして、平板状の部材が形成されている。この平板状の部材の上面は、カートリッジ２００を装着ケース１５０から抜去する際に、ユーザが操作する操作部２４４である。カートリッジ２００が装着ケース１５０に装着された状態で且つカバー８７が露出位置に位置しているとき、操作部２４４は、ユーザに操作可能となる。操作部２４４が下方へ押されると、カートリッジ２００が回動することによって、ロック面２４２がロックピン１５６より下方へ移動する。その結果、カートリッジ２００が装着ケース１５０から抜去することが可能となる。
【００５６】
上壁２０４の外面で且つ突起２４１より後方には、遮光リブ２４５が形成されている。遮光リブ２４５は、上壁２０４の外面から上方に突出し且つ前後方向８に沿って延びている。遮光リブ２４５は、装着センサ１５４の発光部から出力される光を遮光する材料又は色で形成されている。遮光リブ２４５は、装着ケース１５０にカートリッジ２００が装着された状態において、装着センサ１５４の発光部から受光部に至る光路上に位置する。すなわち、装着センサ１５４は、装着ケース１５０にカートリッジ２００が装着されていることに応じて、ローレベル信号をコントローラ１３０に出力する。一方、装着センサ１５４は、装着ケース１５０にカートリッジ２００が装着されていないことに応じて、ハイレベル信号をコントローラ１３０に出力する。すなわち、コントローラ１３０は、装着ケース１５０にカートリッジ２００が装着されているか否かを、装着センサ１５４から出力される信号によって検出することができる。
【００５７】
上壁２０４の外面で且つ前後方向８における遮光リブ２４５及び突起２４１の間には、ＩＣチップ２４７が位置している。ＩＣチップ２４７には、電極２４８が形成されている。また、ＩＣチップ２４７は、不図示の記憶部を備える。電極２４８は、ＩＣチップ２４７の上述の記憶部と電気的に接続されている。電極２４８は、ＩＣチップ２４７の上面において、接点１５２と導通可能に露出されている。すなわち、カートリッジ２００が装着ケース１５０に装着された状態において、電極２４８は、接点１５２と電気的に導通する。コントローラ１３０は、接点１５２及び電極２４８を通じてＩＣチップ２４７の記憶部から情報を読み出し、接点１５２及び電極２４８を通じてＩＣチップ２４７の記憶部に情報を書き込むことができる。以下では、ＩＣチップ２４７の記憶部から情報を読み出し、記憶部に情報を書き込むことを、単に、ＩＣチップ２４７から情報を読み出し、ＩＣチップ２４７に情報を書き込むと記載する。
【００５８】
［コントローラ１３０］
コントローラ１３０は、図６に示されるように、ＣＰＵ１３１、ＲＯＭ１３２、ＲＡＭ１３３、ＥＥＰＲＯＭ１３４、及びＡＳＩＣ１３５を備えている。ＲＯＭ１３２には、ＣＰＵ１３１が各種動作を制御するための制御プログラム３５が格納されている。ＲＡＭ１３３は、ＣＰＵ１３１が上述のプログラムを実行する際に用いるデータや信号等を一時的に記録する記憶領域、或いはデータ処理の作業領域として使用される。ＥＥＰＲＯＭ１３４には、電源オフ後も保持すべき設定情報が格納される。ＲＯＭ１３２、ＲＡＭ１３３、ＥＥＰＲＯＭ１３４、及び上述のＩＣチップ２４７の記憶部は、メモリの一例である。制御プログラム３５は、プログラムの一例である。ＣＰＵ１３１は、コンピュータの一例である。
【００５９】
ＡＳＩＣ１３５は、給送ローラ２３、搬送ローラ２５、排出ローラ２７、及びヘッド２１を動作させるためのものである。コントローラ１３０は、ＡＳＩＣ１３５を通じて不図示のモータを駆動させることによって、給送ローラ２３、搬送ローラ２５、及び排出ローラ２７を回転させる。また、コントローラ１３０は、ＡＳＩＣ１３５を通じてヘッド２１の駆動素子に駆動信号を出力することによって、ヘッド２１にノズル２９を通じてインクを吐出させる。ＡＳＩＣ１３５は、ノズル２９を通じて吐出すべきインクの量に応じて、複数種類の駆動信号を出力可能である。
【００６０】
ＡＳＩＣ１３５には、接点１５２と、装着センサ１５４と、液面センサ１５５と、通信Ｉ／Ｆ３４とが電気的に接続されている。コントローラ１３０は、装着ケース１５０に装着されたカートリッジ２００のＩＣチップ２４７の記憶部に、接点１５２を通じてアクセスする。また、コントローラ１３０は、カートリッジ２００の挿抜を装着センサ１５４を通じて検出する。さらに、コントローラ１３０は、液室１７１内のインクの液面が基準位置Ｐ以上か否かを液面センサ１５５を通じて検出する。
【００６１】
ＥＥＰＲＯＭ１３４は、装着ケース１５０に装着される４つのカートリッジ２００それぞれに対応付けて、換言すれば、カートリッジ２００と連通されるタンク１６０それぞれに対応付けて、各種情報を記憶している。各種情報は、Ｓ＿Ｅｍｐｔｙフラグや、後述の初期第１残量値や初期第２残量値を含む。
【００６２】
Ｓ＿Ｅｍｐｔｙフラグは、タンク１６０がインクエンプティ状態か否かを示す情報である。Ｓ＿Ｅｍｐｔｙフラグには、インクエンプティ状態であることに対応する値“ＯＮ”、或いはインクエンプティ状態でないことに対応する値“ＯＦＦ”がコントローラ１３０によって設定される。インクエンプティ状態とは、例えば、タンク１６０（より詳細には、液室１７１）に貯留されたインクの液面が流出口１７４の上端の位置に達した状態である。インクエンプティ状態になった後にヘッド２１によるインクの吐出を継続すると、ノズル２９内がインクで満たされず、空気が混入してしまう（所謂、エアイン）可能性がある。すなわち、インクエンプティ状態は、ヘッド２１を通じたインクの排出を禁止しなければならない状態である。
【００６３】
また、ＡＳＩＣ１３５には、ディスプレイ２８と、ディスプレイ２８に重畳されたタッチセンサ１８とが接続されている。ディスプレイ２８は、液晶ディスプレイ、有機ＥＬディスプレイ等であり、各種情報を表示する。タッチセンサ１８は、ディスプレイ２８においてユーザがタップした位置を検出し、位置情報を出力する。すなわち、コントローラ１３０は、ディスプレイ２８にオブジェクトを表示させている場合において、ユーザがオブジェクトをタップしたか否かを検知することができる。タッチセンサ１８は、入力部の一例である。
【００６４】
ディスプレイ２８は、コントローラ１３０からの指示により、図１３に示される待機画面や、図１４に示されるインク残量画面や、図１５に示される説明画面や、図１６（Ａ）に示される設定変更画面や、図１６（Ｂ）に示される詳細説明画面を表示する。以下、各画面について詳しく説明する。なお、以下では、マゼンタ、シアン、イエロー、及びブラックの各色を区別しない場合は、マゼンタを示す「Ｍ」の文字、シアンを示す「Ｃ」の文字、イエローを示す「Ｙ」の文字、ブラックを示す「Ｂｋ」の文字を省略して説明する場合がある。例えば、後述する第１８オブジェクト２６８Ｍと第１８オブジェクト２６８Ｃと第１８オブジェクト２６８Ｙと第１８オブジェクト２６８Ｂｋとを区別しない場合は、単に、第１８オブジェクト２６８と記載して説明する。
【００６５】
[待機画面]
図１３に示される待機画面は、待機状態において表示される画面である。待機画面は、「ファックス」や、「コピー」や、「スキャン」などの機能を示す機能オブジェクト７３を有する。ユーザが機能オブジェクト７３をタップすると、各機能の詳細を示す画面（不図示）が表示される。また、待機画面は、不図示の設定画面に画面を表示させる設定オブジェクト７４や、画面をスクロールさせるスクロールオブジェクト７５などを有する。
【００６６】
また、待機画面は、カートリッジ２００に貯留されたインクの残量（以下、インク残量とも記載する）を示す第２０オブジェクト２７０を有する。図示例では、第２０オブジェクト２７０は、待機画面の右下に配置されている。ただし、第２０オブジェクト２７０の配置位置は、右下に限られるものではない。
【００６７】
第２０オブジェクト２７０は、ディスプレイ２８の横方向７２に沿って並ぶ４つの矩形であり、４つのカートリッジ２００を示している。４つの矩形は、左から順に、マゼンタが貯留されたカートリッジ２００、シアンが貯留されたカートリッジ２００、イエローが貯留されたカートリッジ２００、及びブラックが貯留されたカートリッジ２００を示す。なお、第２０オブジェクト２７０は、４つの矩形に限られるものではなく、他の図形であってもよい。また、４つの矩形は、それぞれ他の色のカートリッジ２００を示していてもよい。すなわち、説明された第２０オブジェクト２７０は一例であって、この例に限定されるものではない。
【００６８】
第２０オブジェクト２７０は、待機画面からインク残量画面（図１４）に画面を遷移させる切替オブジェクトでもある。インク残量画面については後述する。
【００６９】
また、待機画面は、状況に応じて表示される第２１オブジェクト２７１を有する。具体的には、第２１オブジェクト２７１は、交換を促すべきカートリッジ２００が存在する場合に表示される。すなわち、第２１オブジェクト２７１は、ユーザにカートリッジ２００の交換を促す旨を示すオブジェクトである。
【００７０】
第２１オブジェクト２７１は、「！」の記号である、ただし、第２１オブジェクト２７１は、他の記号や図形であってもよい。第２１オブジェクト２７１は、カートリッジ２００に貯留されたインクが使い切られたことをユーザに直感的に認識させる。
【００７１】
第２１オブジェクト２７１は、第２０オブジェクト２７０の枠に重ねて表示される。具体的に説明すると、第２１オブジェクト２７１は、交換を促すべきカートリッジ２００を示す位置において第２０オブジェクト２７０の枠に重ねて表示される。図示例では、第２１オブジェクト２７１は、シアンを示す矩形の枠（左から２番目の矩形）に重ねて表示されている。
【００７２】
また、待機画面は、状況に応じて表示される第２２オブジェクト２７２を有する。具体的には、第２２オブジェクト２７２は、印刷を継続できるだけのインクが無い場合に表示される。すなわち、第２２オブジェクト２７２は、カートリッジ２００を交換しなければならないことをユーザに認識させる。
【００７３】
第２２オブジェクト２７２は、「×」の記号である。ただし、第２２オブジェクト２７２は、他の記号や図形であってもよい。第２２オブジェクト２７２は、インクが無く、印刷を継続できないことをユーザに直感的に認識させる。
【００７４】
第２２オブジェクト２７２は、交換しなければ印刷を継続できないカートリッジ２００を示す位置において第２０オブジェクト２７０の枠に重ねて表示される。図示例では、第２２オブジェクト２７２は、イエローを示す矩形の枠（右から２番目の矩形）に重ねて表示されている。
【００７５】
待機画面において、第２０オブジェクト２７０がユーザにタップされると、図１４（Ａ）に示される第１のインク残量画面、または、図１４（Ｂ）に示される第２のインク残量画面がディスプレイ２８に表示される。第１のインク残量画面は、第１画面の一例である。第２のインク残量画面は、第２画面の一例である
【００７６】
[第１のインク残量画面]
第１のインク残量画面は、マゼンタを示すＭの文字である第２３オブジェクト２７３Ｍと、シアンを示すＣの文字である第２３オブジェクト２７３Ｃと、イエローを示すＹの文字である第２３オブジェクト２７３Ｙと、ブラックを示すＢｋの文字である第２３オブジェクト２７３Ｂｋとを有する。なお、第２３オブジェクト２７３Ｍは、マゼンタを示すものであれば、他の文字や記号や図形であってもよい。また、第２３オブジェクト２７３Ｃは、シアンを示すものであれば、他の文字や記号や図形であってもよい。また、第２３オブジェクト２７３Ｙは、イエローを示すものであれば、他の文字や記号や図形であってもよい。また、第２３オブジェクト２７３Ｂｋは、ブラックを示すものであれば、他の文字や記号や図形であってもよい。
【００７７】
また、第１のインク残量画面は、マゼンタのインクを貯留するカートリッジ２００に貯留されたインク残量である第１残量を示す第１７オブジェクト２６７Ｍと、マゼンタのカートリッジ２００に接続されるタンク１６０に貯留されたインク残量である第２残量を示す第１８オブジェクト２６８Ｍとを含む。第１７オブジェクト２６７Ｍ及び第１８オブジェクト２６８Ｍは、マゼンタを示す第２３オブジェクト２７３Ｍの下方に位置する。第２３オブジェクト２７３Ｍは、第１７オブジェクト２６７Ｍ及び第１８オブジェクト２６８Ｍがマゼンタに対応していることを示す。
【００７８】
第１７オブジェクト２６７Ｍと第１８オブジェクト２６８Ｍとは、ディスプレイ２８の縦方向７１に並んだ構成で表示される。また、第１７オブジェクト２６７Ｍ及び第１８オブジェクト２６８Ｍは、ディスプレイ２８の縦方向７１を長さ方向とし、ディスプレイ２８の横方向７２を幅方向とする矩形のバーである。第１７オブジェクト２６７Ｍの幅と、第１８オブジェクト２６８Ｍの幅とは、同一の幅である。
【００７９】
また、第１のインク残量画面は、シアンのインクを貯留するカートリッジ２００に貯留されたインク残量である第１残量を示す第１７オブジェクト２６７Ｃと、シアンのカートリッジ２００に接続されるタンク１６０に貯留されたインク残量である第２残量を示す第１８オブジェクト２６８Ｃとを有する。第１７オブジェクト２６７Ｃ及び第１８オブジェクト２６８Ｃは、シアンを示す第２３オブジェクト２７３Ｃの下方に位置する。第２３オブジェクト２７３Ｃは、第１７オブジェクト２６７Ｃ及び第１８オブジェクト２６８Ｃがシアンに対応していることを示す。
【００８０】
第１７オブジェクト２６７Ｃと第１８オブジェクト２６８Ｃとは、ディスプレイ２８の縦方向７１に並んだ構成で表示される。また、第１７オブジェクト２６７Ｃ及び第１８オブジェクト２６８Ｃは、ディスプレイ２８の縦方向７１を長さ方向とし、ディスプレイ２８の横方向７２を幅方向とする矩形のバーである。第１７オブジェクト２６７Ｃの幅と、第１８オブジェクト２６８Ｃの幅とは、同一の幅である。第１７オブジェクト２６７Ｃは、マゼンタを示す第１７オブジェクト２６７Ｍの右隣に配置されている。第１８オブジェクト２６８Ｃは、マゼンタを示す第１８オブジェクト２６８Ｍの右隣に配置されている。
【００８１】
また、第１のインク残量画面は、イエローのインクを貯留するカートリッジ２００に貯留されたインク残量である第１残量を示す第１７オブジェクト２６７Ｙと、イエローのカートリッジ２００に接続されるタンク１６０に貯留されたインク残量である第２残量を示す第１８オブジェクト２６８Ｙとを有する。第１７オブジェクト２６７Ｙ及び第１８オブジェクト２６８Ｙは、イエローを示す第２３オブジェクト２７３Ｙの下方に位置する。第２３オブジェクト２７３Ｙは、第１７オブジェクト２６７Ｙ及び第１８オブジェクト２６８Ｙがシアンに対応していることを示す。
【００８２】
第１７オブジェクト２６７Ｙと第１８オブジェクト２６８Ｙとは、ディスプレイ２８の縦方向７１に並んだ構成で表示される。また、第１７オブジェクト２６７Ｙ及び第１８オブジェクト２６８Ｙは、ディスプレイ２８の縦方向７１を長さ方向とし、ディスプレイ２８の横方向７２を幅方向とする矩形のバーである。第１７オブジェクト２６７Ｙの幅と、第１８オブジェクト２６８Ｙの幅とは、同一の幅である。第１７オブジェクト２６７Ｙは、シアンを示す第１７オブジェクト２６７Ｃの右隣に配置されている。第１８オブジェクト２６８Ｙは、シアンを示す第１８オブジェクト２６８Ｃの右隣に配置されている。
【００８３】
また、第１のインク残量画面は、ブラックのインクを貯留するカートリッジ２００に貯留されたインク残量である第１残量を示す第１７オブジェクト２６７Ｂｋと、ブラックのカートリッジ２００に接続されるタンク１６０に貯留されたインク残量である第２残量を示す第１８オブジェクト２６８Ｂｋとを有する。第１７オブジェクト２６７Ｂｋ及び第１８オブジェクト２６８Ｂｋは、ブラックを示す第２３オブジェクト２７３Ｂｋの下方に位置する。第２３オブジェクト２７３Ｂｋは、第１７オブジェクト２６７Ｂｋ及び第１８オブジェクト２６８Ｂｋがブラックに対応していることを示す。
【００８４】
第１７オブジェクト２６７Ｂｋと第１８オブジェクト２６８Ｂｋとは、ディスプレイ２８の縦方向７１に並んだ構成で表示される。また、第１７オブジェクト２６７Ｂｋ及び第１８オブジェクト２６８Ｂｋは、ディスプレイ２８の縦方向７１を長さ方向とし、ディスプレイ２８の横方向７２を幅方向とする矩形のバーである。第１７オブジェクト２６７Ｂｋの幅と、第１８オブジェクト２６８Ｂｋの幅とは、同一の幅である。第１７オブジェクト２６７Ｂｋは、イエローを示す第１７オブジェクト２６７Ｙの右隣に配置されている。第１８オブジェクト２６８Ｂｋは、イエローを示す第１８オブジェクト２６８Ｙの右隣に配置されている。
【００８５】
なお、第１７オブジェクト２６７は、カートリッジ２００に貯留されたインクの残量を示すものであれば、バー以外の他の形状であってもよい。また、第１８オブジェクト２６８は、タンク１６０に貯留されたインクの残量を示すものであれば、バー以外の他の形状であってもよい。また、第１７オブジェクト２６７と第１８オブジェクト２６８とは、縦方向７１ではなく、横方向７２に並んでいてもよい。
【００８６】
また、第１のインク残量画面は、状況に応じて表示される第２４オブジェクト２７４を含む。第２４オブジェクトは、上述の第２１オブジェクト２７１と同様に「！」の記号である。第２４オブジェクト２７４は、第１７オブジェクト２６７の枠に重ねて表示される。第２４オブジェクト２７４は、第２１オブジェクト２７１と同様に、インクが使い切られたカートリッジ２００を示す第１７オブジェクト２６７の枠に重ねて表示される。図示例では、第２４オブジェクト２７４は、シアンを示す第１７オブジェクト２６７Ｃの枠に重ねて表示されている。第２４オブジェクト２７４は、カートリッジ２００に貯留されたインクが使い切られたことをユーザに直感的に認識させる。
【００８７】
また、第１のインク残量画面は、状況に応じて表示される第２５オブジェクト２７５を含む。第２５オブジェクト２７５は、上述の第２２オブジェクト２７２と同様に「×」の記号である。第２５オブジェクト２７５は、第２２オブジェクト２７２と同様に、インクが使い切られたカートリッジ２００を示す。図示例では、第２２オブジェクト２７２は、イエローを示す第１７オブジェクト２６７の枠及び第１８オブジェクト２６８の枠に重ねて表示されている。第２２オブジェクト２７２は、インクがなく、印刷を継続できないことをユーザに直感的に認識させる。
【００８８】
上述の待機画面（図１３）に表示された第２０オブジェクト２７０と、第１のインク残量画面に表示された第１７オブジェクト２６７とは相似形である。すなわち、第１７オブジェクト２６７が縮小されたものが第２０オブジェクト２７０であり、待機画面と第１のインク残量画面とは、同一のインク残量を示す。
【００８９】
また、待機画面に表示される第２１オブジェクト２７１及び第２２オブジェクト２７２は、第１の残量画面に表示される第２４オブジェクト２７４及び第２５オブジェクト２７５と連動して表示される。すなわち、待機画面において第２１オブジェクト２７１（第２２オブジェクト２７２）が表示される場合、第１のインク残量画面においても第２４オブジェクト２７４（第２５オブジェクト２７５）が表示される。
【００９０】
上述のように、待機画面における第２０オブジェクト２７０は、第１のインク残量画面における第１７オブジェクト２６７を縮小したものである。しかしながら、待機画面における第２０オブジェクト２７０は、カートリッジ２００のインクの残量によって形状が変化しない矩形であってもよい。すなわち、第２オブジェクト２７０は、第１のインク残量画面に画面を遷移させる切替オブジェクトの機能のみを持つものであってもよい。
【００９１】
また、第１のインク残量画面は、「印刷可能枚数（ＩＳＯ換算）」の文字である第４オブジェクト２５４と、マゼンタにおける印刷可能枚数（ＩＳＯ換算）を示す第１オブジェクト２５１Ｍと、シアンにおける印刷可能枚数（ＩＳＯ換算）を示す第１オブジェクト２５１Ｃと、イエローにおける印刷可能枚数（ＩＳＯ換算）を示す第１オブジェクト２５１Ｙと、ブラックにおける印刷可能枚数（ＩＳＯ換算）を示す第１オブジェクト２５１Ｂｋとを有する。印刷可能枚数（ＩＳＯ換算）は、第１印刷可能枚数の一例である。
【００９２】
第４オブジェクト２５４は、第１８オブジェクト２６８の下に位置する。ただし、第４オブジェクト２５４の位置は、第１８オブジェクト２６８の下に限られるものではない。第４オブジェクト２５４が示す「印刷可能枚数（ＩＳＯ換算）」とは、現在残っているインク残量により、国際標準化機構（ＩＳＯ）が規定した試験方法で印刷を行った場合に、印刷可能な用紙の枚数を示す。国際標準化機構（ＩＳＯ）が規定した試験方法とは、所定の環境（温度等）で、所定のパターンの画像を、所定の用紙に印刷することである。印刷可能枚数（ＩＳＯ換算）は、統一した基準をユーザに提供する。
【００９３】
第１オブジェクト２５１Ｍは、第２３オブジェクト２７３Ｍ、第１７オブジェクト２６７Ｍ、及び第１８オブジェクト２６８Ｍの下方であって、かつ、第４オブジェクト２５４の下に位置する。第１オブジェクト２５１Ｍが第２３オブジェクト２７３、第１７オブジェクト２６７、及び第１８オブジェクト２６８の下方に位置することにより、第１オブジェクト２５１Ｍが、マゼンタに対応していることを示す。
【００９４】
第１オブジェクト２５１Ｍは、マゼンタにおける印刷可能枚数（ＩＳＯ換算）を示す。マゼンタにおける印刷可能枚数（ＩＳＯ換算）とは、現在残っているマゼンタのインク残量により、ＩＳＯ換算で何枚の用紙に印刷が可能であるかを示す数値である。図示例では、第１オブジェクト２５１Ｍは、「７００」の数値である。第１オブジェクト２５１Ｍは、現在残っているマゼンタのインク残量で７００枚の用紙に印刷が可能（ＩＳＯ換算）であることを示す。
【００９５】
第１オブジェクト２５１Ｃは、第２３オブジェクト２７３Ｃ、第１７オブジェクト２６７Ｃ、及び第１８オブジェクト２６８Ｃの下方であって、かつ、第４オブジェクト２５４の下に位置する。第１オブジェクト２５１Ｃが第２３オブジェクト２７３Ｃ、第１７オブジェクト２６７Ｃ、及び第１８オブジェクト２６８Ｃの下方に位置することにより、第１オブジェクト２５１Ｃが、シアンに対応していることを示す。
【００９６】
第１オブジェクト２５１Ｃは、シアンにおける印刷可能枚数（ＩＳＯ換算）を示す。シアンにおける印刷可能枚数（ＩＳＯ換算）とは、現在残っているシアンのインク残量により、ＩＳＯ換算で何枚の用紙に印刷が可能であるかを示す数値である。図示例では、第１オブジェクト２５１Ｃは、「２００」の数値である。第１オブジェクト２５１Ｃは、現在残っているシアンのインク残量で２００枚の用紙に印刷が可能（ＩＳＯ換算）であることを示す。
【００９７】
第１オブジェクト２５１Ｙは、第２３オブジェクト２７３Ｙ、第１７オブジェクト２６７Ｙ、及び第１８オブジェクト２６８Ｙの下方であって、かつ、第３オブジェクト２５３の下に位置する。第１オブジェクト２５１Ｙが第２３オブジェクト２７３Ｙ、第１７オブジェクト２６７Ｙ、及び第１８オブジェクト２６８Ｙの下方に位置することにより、第１オブジェクト２５１Ｙが、イエローに対応していることを示す。
【００９８】
第１オブジェクト２５１Ｙは、イエローにおける印刷可能枚数（ＩＳＯ換算）を示す。イエローにおける印刷可能枚数（ＩＳＯ換算）とは、現在残っているイエローのインク残量により、ＩＳＯ換算で何枚の用紙に印刷が可能であるかを示す数値である。図示例では、第１オブジェクト２５１Ｙは、「０」の数値である。第１オブジェクト２５１Ｙは、現在残っているイエローのインク残量で０枚の用紙に印刷が可能（ＩＳＯ換算）であることを示す。
【００９９】
第１オブジェクト２５１Ｂｋは、第２３オブジェクト２７３Ｂｋ、第１７オブジェクト２６７Ｂｋ、及び第１８オブジェクト２６８Ｂｋの下方であって、かつ、第３オブジェクト２５３の下に位置する。第１オブジェクト２５１Ｂｋが第２３オブジェクト２７３Ｂｋ、第１７オブジェクト２６７Ｂｋ、及び第１８オブジェクト２６８Ｂｋの下方に位置することにより、第１オブジェクト２５１Ｂｋが、ブラックに対応していることを示す。
【０１００】
第１オブジェクト２５１Ｂｋは、ブラックにおける印刷可能枚数（ＩＳＯ換算）を示す。ブラックにおける印刷可能枚数（ＩＳＯ換算）とは、現在残っているブラックのインク残量により、ＩＳＯ換算で何枚の用紙に印刷が可能であるかを示す数値である。図示例では、第１オブジェクト２５１Ｂｋは、「２３００」の数値である。第１オブジェクト２５１Ｂｋは、現在残っているブラックのインク残量で２３００枚の用紙に印刷が可能（ＩＳＯ換算）であることを示す。
【０１０１】
なお、カートリッジ２００及びタンク１６０に残っているインク残量の多寡に応じて、第１オブジェクト２５１が示す数値が変化する。
【０１０２】
また、第１のインク残量画面は、印刷可能枚数の設定変更を行うための第６オブジェクト２５６を有する。第６オブジェクト２５６は、「ｉ」の文字である。ただし、第６オブジェクトは、「ｉ」の文字に限られるものではなく、他の文字や記号や図形であってもよい。
【０１０３】
詳しくは後述されるが、第６オブジェクト２５６がユーザによってタップされることにより、他の画面への遷移を経てから、図１４（Ｂ）に示される第２のインク残量画面がディスプレイ２８に表示される。
【０１０４】
[第２のインク残量画面]
第２のインク残量画面は、第１のインク残量画面（図１４（Ａ））と同様に、カートリッジ２００に貯留されたインクの残量を示す第１７オブジェクト２６７と、タンク１６０に貯留されたインクの残量を示す第１８オブジェクト２６８とを含む。
【０１０５】
また、第２のインク残量画面は、「印刷可能枚数（消費量換算）」の文字を示す第５オブジェクト２５５と、マゼンタのインクの残量を示す第２オブジェクト２５２Ｍと、マゼンタのインクの残量を示す第２オブジェクト２５２Ｍと、シアンのインクの残量を示す第２オブジェクト２５２Ｃと、イエローのインクの残量を示す第２オブジェクト２５２Ｙと、ブラックのインクの残量を示す第２オブジェクト２５２Ｂｋとを含む。
【０１０６】
第５オブジェクト２５５は、第１８オブジェクト２６８の下に位置する。ただし、第５オブジェクト２５５の位置は、第１８オブジェクト２６８の下に限られるものではない。第５オブジェクト２５５が示す「印刷可能枚数（消費量換算）」は、ユーザが過去に行った印刷において、インクの単位量当たりに何枚の用紙に印刷したかを元に、現在残っている各色のインク残量に基づいて、印刷可能な用紙の枚数を示す数値である。印刷可能枚数（消費量換算）は、第２印刷可能枚数の一例である。
【０１０７】
第２オブジェクト２５２Ｍは、第２３オブジェクト２７３Ｍ、第１７オブジェクト２６７Ｍ、及び第１８オブジェクト２６８Ｍの下方であって、かつ、第５オブジェクト２５５の下に位置する。第１オブジェクト２５１Ｍが第２３オブジェクト２７３、第１７オブジェクト２７７、及び第１８オブジェクト２６８の下方に位置することにより、第２オブジェクト２５２Ｍが、マゼンタに対応していることを示す。
【０１０８】
第２オブジェクト２５２Ｍは、マゼンタにおける印刷可能枚数（消費量換算）を示す。マゼンタにおける印刷可能枚数（消費量換算）とは、現在残っているマゼンタのインク残量により、消費量換算で何枚の用紙に印刷が可能であるかを示す数値である。図示例では、第２オブジェクト２５２Ｍは、「５００」の数値である。第２オブジェクト２５２Ｍは、現在残っているマゼンタのインク残量で５００枚の用紙に印刷が可能（消費量換算）であることを示す。
【０１０９】
第２オブジェクト２５２Ｃは、第２３オブジェクト２７３Ｃ、第１７オブジェクト２６７Ｃ、及び第１８オブジェクト２６８Ｃの下方であって、かつ、第５オブジェクト２５５の下に位置する。第２オブジェクト２５２Ｃが第２３オブジェクト２７３Ｃ、第１７オブジェクト２６７Ｃ、及び第１８オブジェクト２６８Ｃの下方に位置することにより、第２オブジェクト２５２Ｃが、シアンに対応していることを示す。
【０１１０】
第２オブジェクト２５２Ｃは、シアンにおける印刷可能枚数（消費量換算）を示す。シアンにおける印刷可能枚数（消費量換算）とは、現在残っているシアンのインク残量により、消費量換算で何枚の用紙に印刷が可能であるかを示す数値である。図示例では、第２オブジェクト２５２Ｃは、「１５０」の数値である。第１オブジェクト２５２Ｃは、現在残っているシアンのインク残量で１５０枚の用紙に印刷が可能（消費量換算）であることを示す。
【０１１１】
第２オブジェクト２５２Ｙは、第２３オブジェクト２７３Ｙ、第１７オブジェクト２６７Ｙ、及び第１８オブジェクト２６８Ｙの下方であって、かつ、第５オブジェクト２５５の下に位置する。第２オブジェクト２５２Ｙが第２３オブジェクト２７３Ｙ、第１７オブジェクト２６７Ｙ、及び第１８オブジェクト２６８Ｙの下方に位置することにより、第２オブジェクト２５２Ｙが、イエローに対応していることを示す。
【０１１２】
第２オブジェクト２５２Ｙは、イエローにおける印刷可能枚数（消費量換算）を示す。イエローにおける印刷可能枚数（消費量換算）とは、現在残っているイエローのインク残量により、消費量換算で何枚の用紙に印刷が可能であるかを示す数値である。図示例では、第２オブジェクト２５２Ｙは、「０」の数値である。第２オブジェクト２５２Ｙは、現在残っているイエローのインク残量で０枚の用紙に印刷が可能（消費量換算）であることを示す。
【０１１３】
第２オブジェクト２５２Ｂｋは、第２３オブジェクト２７３Ｂｋ、第１７オブジェクト２６７Ｂｋ、及び第１８オブジェクト２６８Ｂｋの下方であって、かつ、第５オブジェクト２５５の下に位置する。第２オブジェクト２５２Ｂｋが第２３オブジェクト２７３Ｂｋ、第１７オブジェクト２６７Ｂｋ、及び第１８オブジェクト２６８Ｂｋの下方に位置することにより、第２オブジェクト２５２Ｂｋが、ブラックに対応していることを示す。
【０１１４】
第２オブジェクト２５２Ｂｋは、ブラックにおける印刷可能枚数（消費量換算）を示す。ブラックにおける印刷可能枚数（消費量換算）とは、現在残っているブラックのインク残量により、消費量換算で何枚の用紙に印刷が可能であるかを示す数値である。図示例では、第２オブジェクト２５２Ｂｋは、「２０００」の数値である。第２オブジェクト２５２Ｂｋは、現在残っているブラックのインク残量で２０００枚の用紙に印刷が可能（消費量換算）であることを示す。
【０１１５】
なお、カートリッジ２００及びタンク１６０に残っているインク残量の多寡に応じて、第２オブジェクト２５２が示す数値が変化する。
【０１１６】
また、第２のインク残量画面は、印刷可能枚数の設定変更を行うための第７オブジェクト２５７を有する。第７オブジェクト２５７は、第６オブジェクト２５６と同様に、「ｉ」の文字である。ただし、第７オブジェクト２５７は、「ｉ」の文字に限られるものではなく、他の文字や記号や図形であってもよい。ただし、第６オブジェクト２５６と第７オブジェクト２５７とを同一の文字や記号や図形にすることにより、第６オブジェクト２５６と第７オブジェクト２５７とが同様の機能を有することをユーザに認識させることができる。
【０１１７】
第６オブジェクト２５６は、印刷可能枚数をＩＳＯ換算から消費量換算に切り替えるためのオブジェクトであり、第７オブジェクト２５７は、印刷可能枚数を消費量換算からＩＳＯ換算に切り替えるためのオブジェクトである。以下、詳しく説明する。
【０１１８】
第６オブジェクト２５６は、図１４（Ａ）に示される第１のインク残量画面から、図１５（Ａ）に示される第１の説明画面に画面を遷移させる切替オブジェクトである。第６オブジェクト２５６がユーザによってタップされることにより、第１の説明画面がディスプレイ２８に表示される。
【０１１９】
[第１の説明画面]
第１の説明画面は、「？印刷可能枚数（ＩＳＯ換算）」の文字である第２６オブジェクト２７６と、マゼンタの印刷可能枚数を示す第２７オブジェクト２７７Ｍと、シアンの印刷可能枚数を示す第２７オブジェクト２７７Ｃと、イエローの印刷可能枚数を示す第２７オブジェクト２７７Ｙと、ブラックの印刷可能枚数を示す第２７オブジェクト２７７Ｂｋとを含む。第１の説明画面は、第３画面の一例である。
【０１２０】
第２６オブジェクト２７６は、第１の説明画面の一番上に表示される。第２６オブジェクト２７６は、現在表示されている印刷可能枚数がＩＳＯ換算で算出された印刷可能であることを示す。なお、第２６オブジェクト２７６は、現在表示されている印刷可能枚数がＩＳＯ換算で算出された印刷可能枚数を示すものであれば、他の文字や記号や図形であってもよい。
【０１２１】
第２７オブジェクト２７７は、第２６オブジェクト２７６の下に表示される。第２７オブジェクト２７７Ｍは、第１の説明画面の一番左に表示され、第２７オブジェクト２７７Ｃは、第２７オブジェクト２７７Ｍの右に表示され、第２７オブジェクト２７７Ｙは、第２７オブジェクト２７７Ｃの右に表示され、第２７オブジェクト２７７Ｂｋは、第２７オブジェクト２７７Ｙの右に表示される。すなわち、第２７オブジェクト２７７Ｍ、第２７オブジェクト２７７Ｃ、第２７オブジェクト２７７Ｙ、及び第２７オブジェクト２７７Ｂｋの並びは、第１のインク残量画面（図１４（Ａ））における第２３オブジェクト２７３Ｍ、第２３オブジェクト２７３Ｃ、第２３オブジェクト２７３Ｙ、及び第２３オブジェクト２７３Ｂｋの並びと同じである。
【０１２２】
第２７オブジェクト２７７Ｍは、図示例では、「Ｍ」の文字及び「７００」の数値であり、第１のインク残量画面（図１４（Ａ））における第２３オブジェクト２７３Ｍ及び第１オブジェクト２５１Ｍと同様に、現在残っているマゼンタのインク残量により、ＩＳＯ換算で７００枚の用紙に印刷が可能であることを示す。第２７オブジェクト２７７Ｃは、図示例では、「Ｃ」の文字及び「２００」の数値であり、第１のインク残量画面（図１４（Ａ））における第２３オブジェクト２７３Ｃ及び第１オブジェクト２５１Ｃと同様に、現在残っているシアンのインク残量により、ＩＳＯ換算で２００枚の用紙に印刷が可能であることを示す。第２７オブジェクト２７７Ｙは、図示例では、「Ｙ」の文字及び「０」の数値であり、第１のインク残量画面（図１４（Ａ））における第２３オブジェクト２７３Ｃ及び第１オブジェクト２５１Ｃと同様に、現在残っているイエローのインク残量により、ＩＳＯ換算で０枚の用紙に印刷が可能であることを示す。第２７オブジェクト２７７Ｂｋは、図示例では、「Ｂｋ」の文字及び「２３００」の数値であり、第１のインク残量画面（図１４（Ａ））における第２３オブジェクト２７３Ｃ及び第１オブジェクト２５１Ｃと同様に、現在残っているブラックのインク残量により、ＩＳＯ換算で２３００枚の用紙に印刷が可能であることを示す。
【０１２３】
また、第１の説明画面は、「一般文書イールド規格”ＩＳＯ／ＩＥＣ２４７１１”として指定されている原稿、設定環境に基づき算出します。」の文字である第８オブジェクト２５８を含む。第８オブジェクト２５８は、第２７オブジェクト２７７の下に位置している。第８オブジェクト２５８は、ＩＳＯ換算による印刷可能枚数の内容を示す。なお、第８オブジェクト２５８は、他の文字（文章）であってもよい。
【０１２４】
また、第１の説明画面は、「設定変更」の文字を示す第３オブジェクト２５３と、「戻る」の文字を示す第１３オブジェクト２６３とを含む。第３オブジェクト２５３は、第８オブジェクト２５８の下に位置している。第１３オブジェクト２６３は、第８オブジェクト２５８の下であって、第３オブジェクト２５３の右に位置している。
【０１２５】
第３オブジェクト２５３は、図１５（Ａ）に示される第１の説明画面から、図１６（Ａ）に示される設定変更画面に画面を遷移させる切替オブジェクトでもある。なお、第３オブジェクト２５３は、第１の説明画面から設定変更画面に画面を遷移させることを示すものであれば、他の文字や記号や図形であってもよい。
【０１２６】
第１３オブジェクト２６３は、図１５（Ａ）に示される第１の説明画面から、図１４（Ａ）に示される第１のインク残量画面に画面を遷移させる切替オブジェクトである。なお、第１３オブジェクト２６３は、第１の説明画面から第１のインク残量画面に画面を遷移させることを示すものであれば、他の文字や記号や図形であってもよい。また、第２６オブジェクト２７６、第２７オブジェクト２７７、第８オブジェクト２５８、第３オブジェクト２５３、及び第１３オブジェクト２６３は、上述の位置以外の位置及び位置関係で表示されてもよい。
【０１２７】
[第２の説明画面]
図１４（Ｂ）に示される第７オブジェクト２５７は、図１４（Ｂ）に示される第２のインク残量画面から、図１５（Ｂ）に示される第２の説明画面に画面を遷移させる切替オブジェクトである。第７オブジェクト２５７がユーザによってタップされることにより、第２の説明画面がディスプレイ２８に表示される。第２の説明画面は、第４画面の一例である。
【０１２８】
第２の説明画面は、「？印刷可能枚数（消費量換算）」の文字である第２８オブジェクト２７８と、マゼンタの印刷可能枚数を示す第２９オブジェクト２７９Ｍと、シアンの印刷可能枚数を示す第２９オブジェクト２７９Ｃと、イエローの印刷可能枚数を示す第２９オブジェクト２７９Ｙと、ブラックの印刷可能枚数を示す第２９オブジェクト２７９Ｂｋとを含む。
【０１２９】
第２８オブジェクト２７８は、第１の説明画面の一番上に表示される。第２８オブジェクト２７８は、現在表示されている印刷可能枚数が消費量換算で算出された印刷可能であることを示す。なお、第２８オブジェクト２７８は、現在表示されている印刷可能枚数が消費量換算で算出された印刷可能枚数を示すものであれば、他の文字や記号や図形であってもよい。
【０１３０】
第２９オブジェクト２７９は、第２８オブジェクト２７８の下に表示される。第２９オブジェクト２７９Ｍは、第１の説明画面の一番左に表示され、第２９オブジェクト２７９Ｃは、第２９オブジェクト２７９Ｍの右に表示され、第２９オブジェクト２７９Ｙは、第２９オブジェクト２７９Ｃの右に表示され、第２９オブジェクト２７９Ｂｋは、第２９オブジェクト２７９Ｙの右に表示される。すなわち、第２９オブジェクト２７９Ｍ、第２９オブジェクト２７９Ｃ、第２９オブジェクト２７９Ｙ、及び第２９オブジェクト２７９Ｂｋの並びは、第２のインク残量画面（図１４（Ｂ））における第２３オブジェクト２７３Ｍ、第２３オブジェクト２７３Ｃ、第２３オブジェクト２７３Ｙ、及び第２３オブジェクト２７３Ｂｋの並びと同じである。
【０１３１】
第２９オブジェクト２７９Ｍは、図示例では、「Ｍ」の文字及び「５００」の数値であり、第２のインク残量画面（図１４（Ｂ））における第２３オブジェクト２７３Ｍ及び第１オブジェクト２５１Ｍと同様に、現在残っているマゼンタのインク残量により、消費量換算で５００枚の用紙に印刷が可能であることを示す。第２９オブジェクト２７９Ｃは、図示例では、「Ｃ」の文字及び「１５０」の数値であり、第２のインク残量画面（図１４（Ｂ））における第２３オブジェクト２７３Ｃ及び第１オブジェクト２５１Ｃと同様に、現在残っているシアンのインク残量により、消費量換算で１５０枚の用紙に印刷が可能であることを示す。第２９オブジェクト２７９Ｙは、図示例では、「Ｙ」の文字及び「０」の数値であり、第２のインク残量画面（図１４（Ｂ））における第２３オブジェクト２７３Ｃ及び第１オブジェクト２５１Ｃと同様に、現在残っているイエローのインク残量により、消費量換算で０枚の用紙に印刷が可能であることを示す。第２９オブジェクト２７９Ｂｋは、図示例では、「Ｂｋ」の文字及び「２０００」の数値であり、第２のインク残量画面（図１４（Ｂ））における第２３オブジェクト２７３Ｃ及び第１オブジェクト２５１Ｃと同様に、現在残っているブラックのインク残量により、消費量換算で２０００枚の用紙に印刷が可能であることを示す。
【０１３２】
また、第２の説明画面は、「お客様が印刷した原稿、設定環境により消費されたインク量に基づき算出します。」の文字である第９オブジェクト２５９を含む。第９オブジェクト２５９は、第２８オブジェクト２７８の下に位置している。第９オブジェクト２５９は、消費量換算による印刷可能枚数の内容を示す。なお、第９オブジェクト２５９は、他の文字（文章）であってもよい。
【０１３３】
また、第２の説明画面は、「設定変更」の文字を示す第３オブジェクト２５３と、「戻る」の文字を示す第１４オブジェクト２６４とを含む。第３オブジェクト２５３は、第９オブジェクト２５９の下に位置している。第１４オブジェクト２６４は、第９オブジェクト２５９の下であって、第３オブジェクト２５３の右に位置している。
【０１３４】
第３オブジェクト２５３は、図１５（Ｂ）に示される第２の説明画面から、図１６（Ａ）に示される設定変更画面に画面を遷移させる切替オブジェクトでもある。なお、第３オブジェクト２５３は、第２の説明画面から設定変更画面に画面を遷移させることを示すものであれば、他の文字や記号や図形であってもよい。
【０１３５】
第１４オブジェクト２６４は、図１５（Ｂ）に示される第２の説明画面から、図１４（Ｂ）に示される第２のインク残量画面に画面を遷移させる切替オブジェクトである。なお、第１４オブジェクト２６４は、第２の説明画面から第２のインク残量画面に画面を遷移させることを示すものであれば、他の文字や記号や図形であってもよい。また、第２８オブジェクト２７８、第２９オブジェクト２７９、第９オブジェクト２５９、第３オブジェクト２５３、及び第１４オブジェクト２６４は、上述の位置以外の位置及び位置関係で表示されてもよい。
【０１３６】
[設定変更画面]
図１６（Ａ）に示される設定変更画面は、「印刷可能枚数表示設定」の文字である第１０オブジェクト２６０を含む。第１０オブジェクト２６０は、設定変更画面の一番上に位置している。第１０オブジェクト２６０は、ＩＳＯ換算による印刷可能枚数を表示させるか、消費量換算による印刷可能枚数を表示させるかを選択可能である旨を示す。なお、第１０オブジェクト２６０は、ＩＳＯ換算による印刷可能枚数を表示させるか、消費量換算による印刷可能枚数を表示させるかを選択可能である旨を示すものであれば、他の文字や記号や図形であってもよい。設定変更画面は、第５画面の一例である。
【０１３７】
また、設定変更画面は、「ＩＳＯ換算」の文字と、「・ＩＳＯ規格に基づき算出」の文字とである第１１オブジェクト２６１と、「消費量換算」の文字と、「・インク消費量に基づき算出」の文字とである第１２オブジェクト２６２とを含む。第１１オブジェクト２６１は、第１０オブジェクト２６０の下に位置している。第１２オブジェクト２６２は、第１１オブジェクト２６１の下に位置している。
【０１３８】
第１１オブジェクト２６１は、ＩＳＯ換算で算出した印刷可能枚数をインク残量画面（図１４（Ｂ））に表示させることを決定するオブジェクトである。また、第１１オブジェクト２６１は、図１６（Ａ）に示される設定変更画面から、図１５（Ａ）に示される第１の説明画面に画面を遷移させる切替オブジェクトでもある。第１１オブジェクト２６１がユーザによってタップされたことにより、図１６（Ａ）に示される設定変更画面から図１５（Ａ）に示される第１の説明画面に画面が遷移する。
【０１３９】
第１２オブジェクト２６２は、消費量換算で算出した印刷可能枚数をインク残量画面（図１４（Ｂ））に表示させることを決定するオブジェクトである。また、第１２オブジェクト２６２は、図１６（Ａ）に示される設定変更画面から、図１５（Ｂ）に示される第２の説明画面に画面を遷移させる切替オブジェクトでもある。第１２オブジェクト２６２がユーザによってタップされたことにより、図１６（Ａ）に示される設定変更画面から図１５（Ｂ）に示される第２の説明画面に画面が遷移する。
【０１４０】
また、図１６（Ａ）に示される設定変更画面は、「印刷可能枚数表示について」の文字である第１５オブジェクト２６５を含む。第１５オブジェクト２６５は、第１２オブジェクト２６２の下に位置する。なお、第１０オブジェクト２６０、第１１オブジェクト２６１、第１２オブジェクト２６２、及び第１５オブジェクト２６５は、上述の位置以外の位置及び位置関係で表示されてもよい。
【０１４１】
第１５オブジェクト２６５は、図１６（Ａ）に示される設定変更画面から、図１６（Ｂ）に示される詳細説明画面に画面を遷移させる切替オブジェクトである。ユーザが第１５オブジェクト２６５をタップするこよって、詳細説明画面がディスプレイ２８に表示される。なお、第１５オブジェクト２６５は、詳細説明画面に画面を遷移させることを示すものであれば、他の文字や記号や図形であってもよい。
【０１４２】
[詳細説明画面]
詳細説明画面は、「？印刷可能枚数について」の文字である第３０オブジェクト２８０を含む。第３０オブジェクト２８０は、詳細説明画面が、印刷可能枚数についての説明がされる画面であることを示す。なお、第３０オブジェクト２８０は、詳細説明画面が印刷可能枚数についての説明を示す画面であることを示すものであれば、他の文字（文章）であってもよい。詳細説明画面は、第６画面の一例である。
【０１４３】
詳細説明画面は、「・ＩＳＯ換算」の文字と、「・国際標準であるＩＳＯ規格に基づき印刷可能枚数を算出」の文字と、「・消費量換算」の文字と、「お客様が消費したインク量に基づき算出」の文字とである第１６オブジェクト２６６を含む。すなわち、第１６オブジェクト２６６は、ＩＳＯ換算での印刷可能枚数の内容と、消費量換算での印刷可能枚数の内容とを示す。ＩＳＯ換算での印刷可能枚数の内容と、消費量換算での印刷可能枚数の内容とが表示されることにより、ＩＳＯ換算と消費量換算とをユーザに容易に対比させることができる。なお、第１６オブジェクト２６６は、ＩＳＯ換算での印刷可能枚数の内容と、消費量換算での印刷可能枚数の内容とを示すものであれば、他の文字（文章）であってもよい。また、図示例では、詳細表示画面は、第１６オブジェクト２６６をスクロールして表示させるスクロールオブジェクト７６を含んでいる。
【０１４４】
また、詳細表示画面は、「ＯＫ」の文字である第３１オブジェクト２８１を含む。第３１オブジェクト２８１は、図１６（Ｂ）に示される詳細表示画面から、図１６（Ａ）に示される設定変更画面に画面を遷移させる切替オブジェクトである。ユーザが第３１オブジェクト２８１をタップすると、図１６（Ａ）に示される設定変更画面がディスプレイ２８に表示される。
【０１４５】
［プリンタ１０の動作］
図７〜図１２に示されるフローチャート、及び図１３〜図１５に示される画面を参照して、本実施形態に係るプリンタ１０の動作を説明する。図７〜図１２に示される各処理は、コントローラ１３０（図６）によって実行される。なお、以下の各処理は、ＲＯＭ１３２に記憶されている制御プログラム３５がＣＰＵ１３１において実行されてもよいし、コントローラ１３０に搭載されたハードウェア回路によって実現されてもよい。また、以下の各処理の実行順序は、本発明の要旨を変更しない範囲で、適宜変更することができる。
【０１４６】
［画像形成処理］
コントローラ１３０は、プリンタ１０に印刷指示が入力されたことに応じて、図７に示される画像形成処理を実行する。印刷指示の取得先は特に限定されないが、例えば、印刷指示に対応するユーザ操作を操作パネル２２やディスプレイ２８を通じて受け付けてもよいし、通信Ｉ／Ｆ３４を通じて外部装置から受信してもよい。
【０１４７】
まず、コントローラ１３０は、Ｓ＿Ｅｍｐｔｙフラグの値を判断する（Ｓ１１）。すなわち、コントローラ１３０は、印刷が可能なだけの量のインクがプリンタ１０に有るか否かを判断する。コントローラ１３０は、Ｓ＿ＥｍｐｔｙフラグがＯＮであると判断すると（Ｓ１１：ＯＮ）、装着信号を取得し（Ｓ１２）、装着信号が「Ｌ」から「Ｈ」に変化し、さらに「Ｈ」から「Ｌ」に変化したか否かを判断する（Ｓ１３）。すなわち、コントローラ１３０は、装着信号の変化を監視することにより、カートリッジ２００が交換されたか否かを監視する。
【０１４８】
コントローラ１３０は、カートリッジ２００が交換されていないと判断すると（Ｓ１３：Ｎｏ）、装着信号を再度取得する（Ｓ１２）。コントローラ１３０は、カートリッジ２００が交換されたと判断すると（Ｓ１３：Ｙｅｓ）、第１更新処理（Ｓ１４）を実行する。なお、コントローラ１３０は、ステップＳ１２及びステップＳ１３の処理に代えて他の処理を実行することにより、カートリッジ２００が交換されたか否かを判断してもよい。例えば、コントローラ１３０は、カートリッジ２００のＩＣチップ２４７からカートリッジ２００のシリアルナンバーを読み出し、ＥＥＰＲＯＭ１３４に記憶されたシリアルナンバーと一致するか否かにより、カートリッジ２００が交換されたか否かを判断してもよい。
【０１４９】
［第１更新処理］
図８（Ａ）に示される第１更新処理は、カートリッジ２００が交換されたときに、第１残量を示す第１残量値及び第２残量を示す第２残量値を更新する処理である。上述のように、第１残量は、カートリッジ２００に貯留されるインク残量であり、第２残量は、タンク１６０に貯留されるインク残量である。
【０１５０】
まず、コントローラ１３０は、カートリッジ２００の初期充填量を示す初期充填値を取得する（Ｓ３１）。具体的には、カートリッジ２００のＩＣチップ２４７から種別情報を読み出し、読み出した種別情報に対応する初期充填値をＥＥＰＲＯＭ１３４から読み出して、初期充填値を取得する。ＥＥＰＲＯＭ１３４には、種別情報と初期充填値との対応を示すテーブルが予め記憶される。なお、コントローラ１３０は、カートリッジ２００のＩＣチップ２４７に記憶された第１残量値の初期値を初期充填値として取得してもよい。初期充填値は、充填値の一例である。
【０１５１】
また、コントローラ１３０は、第２残量値をＲＡＭ１３３から読み出す（Ｓ３２）。第２残量値は、カートリッジ２００が交換される直前にタンク１６０に貯留されていたインク残量を示す値である。
【０１５２】
コントローラ１３０は、読み出した初期充填値及び第２残量値を和算し、インクの総残量を示す総残量値を算出する（Ｓ３３）。コントローラ１３０は、算出した総残量値から、新たな第１残量値及び第２残量値を決定する（Ｓ３４）。具体的に説明すると、新たなカートリッジ２００が装着ケース１５０に装着されると、カートリッジ２００に貯留されていたインクの一部が液室１７１に流出する。その結果、カートリッジ２００に貯留されるインクの量が減り、タンク１６０に貯留されるインクの量が増える。新たな第１残量値は、タンク１６０にインクが流出した後のカートリッジ２００に貯留されるインク残量を示す。新たな第２残量値は、カートリッジ２００からインクが流出した後のタンク１６０に貯留されるインク残量を示す。
【０１５３】
第１残量値及び第２残量値の決定は、関数に基づいた計算式による算出や、テーブルにおける決定によって行われる。具体的に説明すると、カートリッジ２００の液室２１０の形状及びタンク１６０の液室１７１の形状は、設計によって予め決められる。したがって、インクの総残量値が判れば、第１残量値及び第２残量値も判る。ＥＥＰＲＯＭ１３４には、総残量値から第１残量値及び第２残量値を計算する計算式、或いは、総残量値と第１残量値と第２残量値との対応が示されたテーブルが予め記憶されている。コントローラ１３０は、当該計算式やテーブルにより第１残量値及び第２残量値を決定する。
【０１５４】
コントローラ１３０は、決定した第１残量値を、初期第１残量値としてＥＥＰＲＯＭ１３４に記憶させるとともに、ＲＡＭ１３３に記憶させ、さらに、ＩＣチップ２４７の記憶部に記憶された第１残量値に上書きする（Ｓ３５）。また、コントローラ１３０は、決定した第２残量値を初期第２残量値としてＥＥＰＲＯＭ１３４に記憶させるとともに、ＲＡＭに記憶させ、第１更新処理を終了する。初期第１残量値及び初期第２充填値は、充填値の一例である。
【０１５５】
コントローラ１３０は、図７に示されるように、第１更新処理が終了すると（Ｓ１４）、Ｓ＿Ｅｍｐｔｙフラグに「ＯＦＦ」を設定し（Ｓ１５）、ステップＳ１１の処理を再び実行する。
【０１５６】
コントローラ１３０は、Ｓ＿Ｅｍｐｔｙフラグの値が「ＯＦＦ」であると判断すると（Ｓ１１：ＯＦＦ）、用紙に画像を記録する（Ｓ１６）。用紙に画像が記録されたことにより、インクが消費される。インクが消費されたことにより、タンク１６０におけるインクの液面が下がる。コントローラ１３０は、画像形成（Ｓ１６）の実行の前後において、液面信号を取得し（Ｓ１７）、液面信号の値、及び液面信号が変化したか否かを判断する（Ｓ１８）。
【０１５７】
コントローラ１３０は、液面信号が「Ｌ」のままだと判断すると（Ｓ１８：Ｌ→Ｌ）、第２更新処理（Ｓ１９）を実行する。すなわち、コントローラ１３０は、カートリッジ２００に貯留されたインクが使い切られていないと判断すると、第２更新処理を実行する。
【０１５８】
[第２更新処理]
図８（Ｂ）に示される第２更新処理は、印刷に使用されたインクの量を示す排出値から、新たな第１残量値及び第２残量値を決定する処理である。排出値は、例えば、ヘッド２１に吐出させるインク滴の大きさを決定する電圧値などに、インク滴を吐出させる回数などを乗じて算出される値である。コントローラ１３０は、ヘッド２１にインクの吐出を指示するごとに、指示に応じた排出値を算出する。コントローラ１３０は、カートリッジ２００の交換後から現在までにヘッド２１が使用した排出値をカウントする。すなわち、排出値は、カートリッジ２００の交換後から現在までにヘッド２１が使用したインクの積算値である。排出値は、消費値の一例である。
【０１５９】
まず、コントローラ１３０は、初期第１残量値をＲＡＭ１３３またはＥＥＰＲＯＭ１３４から読み出し（Ｓ４１）、初期第２残量値をＲＡＭ１３３またはＥＥＰＲＯＭ１３４から読み出す（Ｓ４２）。コントローラ１３０は、読み出した初期第１残量値と初期第２残量値とを和算して初期総残量値を算出する。コントローラ１３０は、算出した初期総残量値から排出値（積算値）を減算し、現在の総残量値を算出する（Ｓ４３）。その後、コントローラ１３０は、上述と同様に、計算式やテーブルを用いて新たな第１残量値及び新たな第２残量値を決定する（Ｓ４４）。
【０１６０】
コントローラ１３０は、決定した新たな第１残量値をＲＡＭ１３３に記憶させるとともに、ＩＣチップ２４７の記憶部に記憶された第１残量値に上書きし（Ｓ４５）、決定した新たな第２残量値をＲＡＭ１３３に記憶させ（Ｓ４６）、第２更新処理を終了する。
【０１６１】
コントローラ１３０は、図７に示されるように、第２更新処理（Ｓ１９）が終了すると、次ページがあるか否かを判断し（Ｓ２２）、次ページがあると判断すると（Ｓ２２：Ｙｅｓ）、ステップＳ１１の処理を再び実行し、次ページがないと判断すると（Ｓ２２：Ｎｏ）、画像形成処理を終了する。
【０１６２】
なお、上述した第１残量値及び第２残量値の決定方法は一例であり、他の方法によって第１残量及び第２残量が決定されてもよい。
【０１６３】
コントローラ１３０は、ステップＳ１１の処理で、Ｓ＿Ｅｍｐｔｙフラグの値が「ＯＦＦ」であると判断すると（Ｓ１１：ＯＦＦ）、再び、ステップＳ１６、ステップＳ１７、ステップＳ１８の処理を実行し、液面信号が「Ｌ」から「Ｈ」に変化したと判断すると（Ｓ１８：Ｌ→Ｈ）、第３更新処理（Ｓ２０）を実行する。すなわち、コントローラ１３０は、カートリッジ２００に貯留されたインクが使い切られたと判断すると、第３更新処理を実行する。
【０１６４】
[第３更新処理]
図８（Ｃ）に示される第３更新処理は、第１残量値を第１所定値に更新し、かつ第２残量値を第２所定値に更新する処理である。具体的に説明すると、印刷によって排出されたインクの量を示す排出値は、誤差を含む。したがって、印刷がされる度に算出される第１残量値及び第２残量値は、積算された誤差を含む。第３更新処理は、積算された誤差をリセットする処理である。
【０１６５】
具体的に説明すると、コントローラ１３０は、ＩＣチップ２４７の記憶部に記憶された初期第１残量値を第１所定値で上書きする（Ｓ４７）。第１所定値は、例えば「ゼロ」である。また、コントローラ１３０は、初期第２残量値を第２所定値としてＥＥＰＲＯＭ１３４及びＲＡＭ１３３に記憶させ（Ｓ４８）、処理を終了する。第２所定値は、基準位置Ｐにインクの液面がある場合にタンク１６０の液室１７１に貯留されているインクの量を示す値である。第２所定値は、例えば、ＲＯＭ１３２に予め記憶される。
【０１６６】
コントローラ１３０は、図７に示されるように、第３更新処理（Ｓ２０）が終了すると、次ページがあるか否かを判断し（Ｓ２２）、次ページがあると判断すると（Ｓ２２：Ｙｅｓ）、ステップＳ１１の処理を再び実行し、次ページがないと判断すると（Ｓ２２：Ｎｏ）、画像形成処理を終了する。
【０１６７】
一方、コントローラ１３０は、ステップＳ１１の処理で、Ｓ＿Ｅｍｐｔｙフラグの値が「ＯＦＦ」であると判断すると（Ｓ１１：ＯＦＦ）、再び、ステップＳ１６、ステップＳ１７、ステップＳ１８の処理を実行し、液面信号が「Ｈ」のままだと判断すると（Ｓ１８：Ｈ→Ｈ）、第４更新処理（Ｓ２１）を実行する。すなわち、コントローラ１３０は、カートリッジ２００に貯留されたインクが使い切られた後、カートリッジ２００が新しいカートリッジ２００に交換されるまでは、第４更新処理を実行する。
【０１６８】
[第４更新処理]
図８（Ｄ）に示される第４更新処理は、第２残量値を算出し、算出した第２残量値が示す第２残量が、印刷を継続できる量であるか否かを判断する処理である。まず、コントローラ１３０は、第２所定値をＲＡＭ１３３またはＥＥＰＲＯＭ１３４から読み出す（Ｓ５１）。また、コントローラ３０は、排出値をＥＥＰＲＯＭ１３４から読み出す（Ｓ５２）。排出値は、液面センサ１５５の出力値が「Ｌ」から「Ｈ」に変化した後から現在までにヘッド２１が使用したインクの積算値を示す。コントローラ１３０は、読み出した第２所定値から排出値を減算し、新たな第２残量値を算出する（Ｓ５３）。
【０１６９】
コントローラ１３０は、算出した新たな第２残量値を、ＲＡＭ１３３に記憶させる（Ｓ５４）。なお、第１残量値については、上書きを行わず、カートリッジ２００が交換されるまでは、第１所定値（ゼロ）のままである。
【０１７０】
次に、コントローラ１３０は、算出した第２残量値が第３所定値以上か否かを判断する（Ｓ５５）。第３所定値は、ＥＥＰＲＯＭ１３４などに予め記憶された値である。
【０１７１】
コントローラ１３０は、算出した第２残量値が第３所定値以上であって、継続して印刷を行うことができると判断すると（Ｓ５５：Ｙｅｓ）、ステップＳ５６の処理をスキップして第４更新処理を終了する。コントローラ１３０は、算出した第２残量値が第３所定値未満であって、継続して印刷ができないと判断すると（Ｓ５５：Ｎｏ）、Ｓ＿Ｅｍｐｔｙフラグに「ＯＮ」を設定し（Ｓ５６）、第４更新処理を終了する。
【０１７２】
上述のように、１ページの画像形成が実行される度に、画像形成に使用したインクの量に応じて第１残量値及び第２残量値が決定される。なお、上述では、１ページ分の画像形成がされる度に第１残量値及び第２残量値が決定される例が説明されたが、第１残量値及び第２残量値は、１パスごとなど、他の基準単位で決定されてもよい。また、第２更新処理、第３更新処理、及び第４更新処理は、印刷だけでなく、メンテナンスなどのためにヘッド２１からインクが吐出されるごとに実行される。
【０１７３】
また、コントローラ１３０は、図９に示される平均使用値決定処理を実行する。平均使用値決定処理は、過去に行った印刷において、インクの単位量当たりに印刷された用紙の枚数を示す平均使用値を決定する処理である。
【０１７４】
[平均使用値決定処理]
コントローラ１３０は、印刷が行われるまで待機する（Ｓ６１：Ｎｏ）。すなわち、平均使用値決定処理は、印刷が開始されたことをトリガとして実行される。コントローラ１３０は、印刷が開始されたと判断すると（Ｓ６１：Ｙｅｓ）、ヘッド２１が排出したインクの排出値及び印刷枚数をカウントする（Ｓ６２）。コントローラ１３０は、印刷が終了するまで（Ｓ６３：Ｎｏ）、排出値及び印刷枚数をカウントする（Ｓ６２）。
【０１７５】
コントローラ１３０は、印刷が終了したと判断すると（Ｓ６３：Ｙｅｓ）、積算印刷枚数及び積算排出値をＲＡＭ１３３またはＥＥＰＲＯＭ１３４から読み出す（Ｓ６４）。コントローラ１３０は、ステップＳ６２でカウントした印刷枚数と読み出した積算印刷枚数とを和算し、和算して得られた積算印刷枚数でＥＥＰＲＯＭ１３４に記憶された印刷可能枚数を更新する（Ｓ６５）。
【０１７６】
また、コントローラ１３０は、ステップＳ６２でカウントした排出値と読み出した積算排出値とを和算し、和算して得られた積算排出値でＥＥＰＲＯＭ１３４に記憶された積算排出値を更新する（Ｓ６５）。
【０１７７】
次に、コントローラ１３０は、和算して得られた積算印刷枚数（更新後の積算印刷枚数）を、和算して得られた積算排出値（更新後の積算排出値）で除し、インクの単位量当たりの印刷枚数である平均使用値を算出する（Ｓ６６）。コントローラ１３０は、算出した平均使用量値をＲＡＭ１３３に記憶させるとともに、ＥＥＰＲＯＭ１３４に記憶された平均使用量値を更新し（Ｓ６７）、平均使用値決定処理を終了する。
【０１７８】
画像形成処理において更新された第１残量値及び第２残量値を用いて、図１０に示されるオブジェクト決定が実行される。オブジェクト決定処理は、上述の第２１オブジェクト２７１（「！」）や第２２オブジェクト２７２（「×」）や第２４オブジェクト２７４（「！」）や第２５オブジェクト２７５（「×」）の表示／非表示を決定し、第１７オブジェクト２６７や第１８オブジェクト２６８の長さを決定する処理である。
【０１７９】
［オブジェクト決定処理］
図１０に示されるように、コントローラ１３０は、第１残量値及び第２残量値をＲＡＭ１３３から読み出す（Ｓ７１）。次に、コントローラ１３０は、Ｓ＿Ｅｍｐｔｙフラグの設定値を確認する（Ｓ７２）。すなわち、コントローラ１３０は、印刷を行えるだけの量のインクがあるか否かを判断する。
【０１８０】
コントローラ１３０は、Ｓ＿Ｅｍｐｔｙフラグが「ＯＮ」であると判断すると（Ｓ７２：ＯＮ）、第１７オブジェクト２６７のバーの長さをゼロに決定し（Ｓ７３）、第１８オブジェクト２６８のバーの長さをゼロに決定し（Ｓ７４）、第２２オブジェクト２７２（「×」）及び第２５オブジェクト２７５（「×」）を表示することに決定し（Ｓ７５）、オブジェクト決定処理を終了する。
【０１８１】
一方、コントローラ１３０は、Ｓ＿Ｅｍｐｔｙフラグが「ＯＦＦ」であると判断すると（Ｓ７２：ＯＦＦ）、すなわち、印刷を行えるだけの量のインクがあると判断すると、液面センサ１５５の値を判断する（Ｓ７６）。すなわち、コントローラ１３０は、カートリッジ２００に貯留されたインクが使い切られたか否かを判断する。
【０１８２】
コントローラ１３０は、液面センサ１５５の値が「Ｈ」であると判断すると（Ｓ７６：Ｈ）、すなわち、カートリッジ２００に貯留されたインクが使い切られたと判断すると、第１７オブジェクト２６７のバーの長さをゼロに決定し（Ｓ７７）、第２１オブジェクト２７１（「！」）及び第２４オブジェクト２７４（「！」）を表示に決定し（Ｓ７８）、第１８オブジェクト２６８のバーの長さを読み出した第２残量値に応じた長さに決定し（Ｓ７９）、オブジェクト決定処理を終了する。すなわち、カートリッジ２００に貯留されたインクが使い切られた後は、タンク１６０が貯留するインクの量を示す第１８オブジェクト２６８のみが変化することになる。したがって、カートリッジ２００に貯留されたインクが使い切られた後は、ユーザに対して、第１８オブジェクト２６８のみに注目させることができる。
【０１８３】
一方、コントローラ１３０は、液面センサ１５５の値が「Ｌ」であると判断すると（Ｓ７６：Ｌ）、すなわち、カートリッジ２００に貯留されたインクが使い切られていないと判断すると、第１７オブジェクト２６７のバーの長さを、読み出した第１残量値に応じた長さに決定する（Ｓ８０）。またコントローラ１３０は、第１８オブジェクト２６８のバーの長さを最大長に決定し（Ｓ８１）、オブジェクト決定処理を終了する。
【０１８４】
なお、コントローラ１３０は、図７に示される画像記録処理（印刷）を行う度に、図１０に示されるオブジェクト決定処理を実行する。
【０１８５】
また、図７に示される画像形成処理で更新された第１残量値及び第２残量値と、図９に示される平均使用値決定処理で更新された平均使用値を用いて、図１１に示される印刷可能枚数決定処理が実行される。
【０１８６】
[印刷可能枚数決定処理（ＩＳＯ換算）]
図１１（Ａ）に示されるように、コントローラ１３０は、カートリッジ２００のＩＣチップ２４７からカートリッジ２００の種別情報を読み出す（Ｓ８２）。コントローラ１３０は、読み出した種別情報から、カートリッジ２００の基準使用値を取得する（Ｓ８３）。具体的には、コントローラ１３０は、読み出した種別情報と対応する基準使用値をＥＥＰＲＯＭ１３４から読み出す。ＥＥＰＲＯＭ１３４には、種別情報と基準使用値との対応が示されたテーブル予め記憶されている。基準使用値は、国際標準化機構（ＩＳＯ）が規定した試験方法で印刷を行った場合に、インクの単位量当たりに印刷可能な用紙の枚数を示す数値である。
【０１８７】
次に、コントローラ１３０は、第１残量値及び第２残量値をＲＡＭ１３３から読み出す（Ｓ８４）。コントローラ１３０は、読み出した基準使用値、第１残量値、及び第２残量値から、印刷可能枚数（ＩＳＯ換算）を算出する（Ｓ８５）。具体的には、コントローラ１３０は、第１残量値と第２残量値とを和算し、総残量値を算出する。次にコントローラ１３０は、算出した総残量値に基準使用値を乗じて、印刷可能枚数（ＩＳＯ換算）を算出する。コントローラ１３０は、算出した印刷可能枚数（ＩＳＯ換算）をＲＡＭ１３３及びＥＥＰＲＯＭ１３４に記憶させ、処理を終了する。なお、コントローラ１３０は、図７に示される画像記録処理（印刷）を行う度に、印刷可能枚数決定処理（ＩＳＯ換算）を実行する。
【０１８８】
[印刷可能枚数決定処理（消費量換算）]
図１１（Ｂ）に示されるように、コントローラ１３０は、平均使用値をＥＥＰＲＯＭ１３４から読み出す（Ｓ９１）。次に、コントローラ１３０は、第１残量値及び第２残量値をＲＡＭ１３３から読み出す（Ｓ９２）。コントローラ１３０は、読み出した平均使用値、第１残量値、及び第２残量値から、印刷可能枚数（消費量換算）を算出する（Ｓ９３）。具体的には、コントローラ１３０は、第１残量値と第２残量値とを和算し、総残量値を算出する。次にコントローラ１３０は、算出した総残量値に平均使用値を乗じて、印刷可能枚数（消費量換算）を算出する。コントローラ１３０は、算出した印刷可能枚数（消費量換算）をＲＡＭ１３３及びＥＥＰＲＯＭ１３４に記憶させ（Ｓ９４）、処理を終了する。なお、コントローラ１３０は、図７に示される画像記録処理（印刷）を行う度に、図９に示される平均使用値決定処理及び図１１（Ｂ）に示される印刷可能枚数決定処理（消費量換算）を実行する。
【０１８９】
コントローラ１３０は、図１１に示す印刷可能枚数決定処理で決定した印刷可能枚数を用いて、図１２に示すインク残量表示処理を実行する。まず、コントローラ１３０は、現在の表示選択がＩＳＯ換算か消費量換算かを判断する（Ｓ１０１）。コントローラ１３０は、ＩＳＯ換算が選択されていると判断すると（Ｓ１０１：ＩＳＯ換算）、印刷可能枚数（ＩＳＯ換算）をＲＡＭ１３３またはＥＥＰＲＯＭ１３４から読み出し（Ｓ１０２）、印刷可能枚数（ＩＳＯ換算）を示す第１オブジェクト２５１を含む第１のインク残量画面（図１４（Ａ））を生成し、ディスプレイ２８に表示させ（Ｓ１０３）、インク残量画面表示処理を終了する。
【０１９０】
一方、コントローラ１３０は、消費量換算が選択されていると判断すると（Ｓ１０１：消費量換算）、印刷可能枚数（消費量換算）をＲＡＭ１３３またはＥＥＰＲＯＭ１３４から読み出し（Ｓ１０４）、印刷可能枚数（消費量換算）を示す第２オブジェクト２５２を含む第２のインク残量画面（図１４（Ｂ））を生成し、ディスプレイ２８に表示させ（Ｓ１０５）、インク残量画面表示処理を終了する。
【０１９１】
［第１実施形態の効果］
上述の実施形態では、印刷可能枚数（ＩＳＯ換算）を示す第１オブジェクト２５１を含む第１のインク残量画面と、印刷可能枚数（消費量換算）を示す第２オブジェクト２５２を含む第２のインク残量画面とがディスプレイ２８に表示される。また、「設定変更」の文字である第３オブジェクト２５３、第１１オブジェクト２６１、及び第１２オブジェクト２６２により、第１のインク残量画面をディスプレイに表示させるか、第２のインク残量画面をディスプレイ２８に表示させるかを、ユーザに選択させることができる。その結果、ユーザは、自己が望む方の印刷可能枚数をディスプレイ２８に表示させることができる。
【０１９２】
また、上述の実施形態では、ＩＳＯ換算で算出された印刷可能枚数を表示していることを示す第４オブジェクト２５４が第１オブジェクト２５１とともにディスプレイ２８に表示されるので、ディスプレイ２８に表示されている印刷可能枚数がＩＳＯ換算で算出されていることをユーザに容易に認識させることができる。
【０１９３】
また、上述の実施形態では、消費量換算で算出された印刷可能枚数を表示していることを示す第５オブジェクト２５５が第２オブジェクト２５２とともにディスプレイ２８に表示されるので、ディスプレイ２８に表示されている印刷可能枚数が消費量換算で算出さＲていることをユーザに容易に認識させることができる。
【０１９４】
また、上述の実施形態では、第１のインク残量画面において第６オブジェクト２５６がタップされると、ＩＳＯ換算での算出内容を示す第１の説明画面がディスプレイ２８に表示され、第２のインク残量画面において第７オブジェクト２５７がタップされると、消費量換算での算出内容を示す第２の説明画面がディスプレイ２８に表示される。したがって、ＩＳＯ換算での算出内容と、消費量換算での算出内容とをユーザに容易に認識させることができる。
【０１９５】
また、上述の実施形態では、第１の説明画面において第３オブジェクト２５３がタップされることにより、設定変更画面が表示される。設定変更画面は、印刷可能枚数（ＩＳＯ換算）を表示させるか、印刷可能枚数（消費量換算）を表示させるかを選択可能な設定画面である。同様に、印刷可能枚数（消費量換算）の内容を含む第２の説明画面において第３オブジェクト２５３がタップされることにより、設定変更画面が表示される。すなわち、印刷可能枚数（ＩＳＯ換算）の内容を含む第１の説明画面と印刷可能枚数（消費量換算）の内容を含む第２の説明画面とのいずれの画面からも設定変更画面に画面を切り替えることができる。したがって、印刷可能枚数（ＩＳＯ換算）の表示と印刷可能枚数（消費量換算）の表示との切り替えをユーザに容易に実行させることができる。その結果、ユーザにとっての使い勝手が良くなる。
【０１９６】
また、上述の実施形態では、設定変更画面に表示された第１１オブジェクト２６１がタップされることにより、印刷可能枚数（ＩＳＯ換算）を表示させることが決定され、第１の説明画面がディスプレイ２８に表示される。また、第１２オブジェクト２６２がタップされることにより、印刷可能枚数（消費量換算）を表示させることが決定され、第２の説明画面がディスプレイ２８に表示される。第１の説明画面または第２の説明画面がディスプレイ２８に表示されることにより、再度の設定変更をユーザに行わせることができる。すなわち、ユーザが設定を間違えた場合などにおいて、ユーザは、第１のインク残量画面や第２のインク残量画面から設定変更をやり直す必要がない。その結果、ユーザにとっての使い勝手がさらに良くなる。
【０１９７】
また、上述の実施形態では、設定変更が終了した後、ユーザが第１３オブジェクト２６３をタップすることにより、第１のインク残量画面がディスプレイ２８に表示される。また、ユーザが第１４オブジェクト２６４をタップすることにより、第２のインク残量画面がディスプレイ２８に表示される。第１のインク残量画面または第２のインク残量画面がディスプレイ２８に表示されることにより、設定変更がされたことをユーザに確認させることができる。すなわち、誤った設定がされることが抑制される。その結果、ユーザにとっての使い勝手がさらに良くなる。
【０１９８】
また、上述の実施形態では、ユーザが第１５オブジェクト２６５をタップすることにより、印刷可能枚数（ＩＳＯ換算）及び印刷可能枚数（消費量換算）の算出内容の説明がディスプレイ２８に表示される。印刷可能枚数（ＩＳＯ換算）及び印刷可能枚数（消費量換算）の算出内容の説明が一画面に表示されるから、印刷可能枚数（ＩＳＯ換算）と印刷可能枚数（消費量換算）とをユーザに対比させることができる。したがって、印刷可能枚数（ＩＳＯ換算）か印刷可能枚数（消費量換算）かの選択をユーザに容易に促すことができる。その結果、ユーザにとっての使い勝手がさらに良くなる。
【０１９９】
また、上述の実施形態では、印刷可能枚数（ＩＳＯ換算）及び印刷可能枚数（消費量換算）は、カートリッジ２００に貯留されたインクの残量及びタンク１６０に貯留されたインクの残量とともに表示される。したがって、インクの残量と印刷可能枚数とを同時にユーザに認識させることができる。その結果、ユーザにとっての使い勝手がさらに良くなる。
【０２００】
［変形例１］
図９に示された平均使用値決定処理で決定される平均使用値は、リセット可能であってもよい。例えば、図１６（Ａ）に示される設定変更画面に、平均使用値をリセットするリセットオブジェクトが表示される。ユーザがリセットオブジェクトをタップすることにより、平均使用値がリセットされる。具体的には、コントローラ１３０は、ＥＥＰＲＯＭ１３４に記憶された積算印刷枚数、積算排出値、及び平均使用値の値をゼロなどの値で上書きする。なお、リセットオブジェクトをディスプレイ２８に表示させる代わりに、全てのデータを初期化するオールリセットボタンが設けられ、或いは、オールリセットオブジェクトがディスプレイ２８に表示されてもよい。
【０２０１】
［変形例１の効果］
平均使用値をリセットすることができるので、ユーザの使用態様が変わったり、ユーザ自体が変わった場合などにおいて、平均使用値を新たに算出することができる。
【０２０２】
［その他の変形例］
第２のインク残量画面（図１４（Ｂ））に表示される第２オブジェクト２５２は、平均使用値決定処理（図９）においてカウントされる積算印刷枚数や積算排出値に応じて非表示にされてもよい。詳しく説明すると、プリンタ１０の使用開始当初において算出される平均使用値は、印刷を行う度に大きく変動することが予測される。平均使用値が大きく変動すると、第２オブジェクト２５２が示す印刷可能枚数（消費量換算）も大きく変動する。プリンタ１０のコントローラ１３０は、算出した積算印刷枚数或いは積算排出値がＥＥＰＲＯＭ１３４に予め記憶された閾値以上か否かを判断する。コントローラ１３０は、算出した積算印刷枚数或いは積算排出値が閾値以上であると判断すると、第２オブジェクト２５２を表示に決定する。一方、コントローラ１３０は、算出した積算印刷枚数或いは積算排出値が閾値未満であると判断すると、第２オブジェクト２５２を非表示に決定する。積算印刷枚数或いは積算排出値が閾値未満であって、印刷が行われる度に大きく変動するおそれのある第２オブジェクト２５２が第２のインク残量画面（図１４（Ｂ））に表示されないので、ユーザに故障の懸念や違和感を生じさせることを抑制することができる。
【０２０３】
また、コントローラ１３０は、算出した積算印刷枚数或いは積算排出値が閾値未満であると判断すると、第２のインク残量画面（図１４（Ｂ））に代えて、第１のインク残量画面（図１４（Ａ））をディスプレイ２８に表示してもよい。その場合、例えば第２の説明画面（図１５（Ｂ））において、第９オブジェクト２５９に代えて、或いは第９オブジェクト２５９とともに、積算印刷枚数や積算排出値が閾値を超えるまでは印刷可能枚数（消費量換算）に代えて印刷可能枚数（ＩＳＯ換算）が表示される旨や、積算印刷枚数や積算排出値が閾値を超えるまでは印刷可能枚数（消費量換算）を表示することができない旨などを示すオブジェクトがディスプレイ２８に表示される。
【０２０４】
また、上述の実施形態では、インクを着色剤の一例として説明した。しかしながら、着色剤はインクに限らず、トナーであってもよい。
【０２０５】
また、上述の実施形態では、水頭差によってカートリッジ２００からタンク１６０にインクが流出する例を説明した。しかしながら、重力によって、カートリッジ２００からタンクにインクが流出されてもよいし、ポンプなどの駆動源を用いてカートリッジ２００からタンクにインクが流出されてもよい。駆動源を用いる場合、タンクは、例えばヘッド２１に搭載される。
【０２０６】
また、上述の実施形態では、インクを貯留するカートリッジ２００及びタンク１６０が用いられた例を説明した。しかしながら、タンク１６０のみが用いられてもよいし、カートリッジ２００のみが用いられてもよい。タンク１６０のみが用いられる場合、例えば、液面センサ１５５が「Ｌ」から「Ｈ」になったときにタンク１６０に貯留されたインクの残量が初期充填量とされる。或いは、ユーザがタンク１６０にインクを充填した際に、初期充填量がユーザによってコントローラ１３０に入力される。コントローラ１３０は、当該初期充填量及び排出値を用いて第２残量を算出し、ＩＳＯ換算や消費量換算での印刷可能枚数を算出してディスプレイ２８に表示する。
【０２０７】
また、上述の実施形態では、基準使用値及び平均使用値が、インクの単位量当たりの印刷枚数を示す例を説明した。しかしながら、基準使用値及び平均使用値は、例えば、１枚の用紙当たり使用されるインクの量であってもよい。すなわち、基準使用値及び平均使用値は、印刷可能枚数を算出可能な数値であればよい。
【０２０８】
また、上述の実施形態では、第１の説明画面、第２の説明画面、及び設定変更画面を介して第１のインク残量画面から第２のインク残量画面、または、第２のインク残量画面から第１のインク残量画面に画面が切り替えられる例が説明された。しかしながら、第１のインク残量画面から第２のインク残量画面、または、第２のインク残量画面から第１のインク残量画面に画面が直接切り替えられてもよい。または、第１の説明画面や、第２の説明画面や、設定変更画面以外の画面を介して、第１のインク残量画面から第２のインク残量画面、または、第２のインク残量画面から第１のインク残量画面に画面が切り替えられてもよい。
【符号の説明】
【０２０９】
１０・・・プリンタ
１８・・・タッチセンサ
２１・・・ヘッド
２８・・・ディスプレイ
３５・・・制御プログラム
７１・・・縦方向
７２・・・横方向
１３０・・・コントローラ
１３４・・・ＥＥＰＲＯＭ
１５５・・・液面センサ
１６０・・・タンク
１７１・・・液室
２００・・・カートリッジ
２１０・・・液室
２５１・・・第１オブジェクト
２５２・・・第２オブジェクト
２５３・・・第３オブジェクト
２５４・・・第４オブジェクト
２５５・・・第５オブジェクト
２５６・・・第６オブジェクト
２５７・・・第７オブジェクト
２５８・・・第８オブジェクト
２５９・・・第９オブジェクト
２６０・・・第１０オブジェクト
２６２・・・第１２オブジェクト
２６３・・・第１３オブジェクト
２６４・・・第１４オブジェクト
２６５・・・第１５オブジェクト
２６６・・・第１６オブジェクト
２６７・・・第１７オブジェクト
２６８・・・第１８オブジェクト
【図１】
2019116082.tif 000003
【図２】
2019116082.tif 000004
【図３】
2019116082.tif 000005
【図４】
2019116082.tif 000006
【図５】
2019116082.tif 000007
【図６】
2019116082.tif 000008
【図７】
2019116082.tif 000009
【図８】
2019116082.tif 000010
【図９】
2019116082.tif 000011
【図１０】
2019116082.tif 000012
【図１１】
2019116082.tif 000013
【図１２】
2019116082.tif 000014
【図１３】
2019116082.tif 000015
【図１４】
2019116082.tif 000016
【図１５】
2019116082.tif 000017
【図１６】
2019116082.tif 000018